(57)【要約】デンドリマー及び少なくとも１つの化学発光基質のコンジュゲートを含む、化学発光基質送達システムを提供する。基質送達システムはまた、化学発光エンハンサーも含むことが可能である。デンドリマー／化学発光基質コンジュゲートは、化学発光基質を活性化し、分解し発光する過酸化中間体を生成することができる酵素を含むキットに用いられる。デンドリマー／化学発光基質コンジュゲートは、サンプル中の検体（例えば、酵素、抗体、抗原又は核酸）の存在を検出するアッセイに用いられる。
2004524521.tif 000002
【特許請求の範囲】
【請求項１】
デンドリマー；及び
デンドリマーに結合した、少なくとも１つの、酵素活性化される化学発光基質
を含む、化学発光基質送達システム。
【請求項２】
化学発光基質が、ジオキセタン部分、ルミノール部分、イソルミノール部分、アクリジニウムエステル部分、アクリジニウムスルホニルアミド部分、ルシフェリン部分及びそれらの組み合わせからなる群より選択される部分を含む、請求項１記載の化学発光基質送達システム。
【請求項３】
複数の、酵素活性化される化学発光基質が、デンドリマーに結合している、請求項１記載の化学発光基質送達システム。
【請求項４】
異なる少なくとも２つの、酵素活性化される化学発光基質が、デンドリマーに結合している、請求項３記載の化学発光基質送達システム。
【請求項５】
基質送達システムが、以下の工程：
酵素活性化される化学発光部分を含む１つ以上の分子を、デンドリマーに共有結合で結合させる工程；又は
酵素活性化される化学発光部分のプレカーサーを含む１つ以上の分子を、デンドリマーに共有結合で結合させ、その後化学発光部分のプレカーサーを、化学発光部分に変換させる工程
を含む方法によって製造される、請求項１記載の化学発光基質送達システム。
【請求項６】
デンドリマーが、アミノ表面基を有するポリアミドアミンデンドリマー、カルボン酸表面基を有するポリアミドアミンデンドリマー、ヒドロキシル表面基を有するポリアミドアミンデンドリマー、及びアミノ表面基を有するポリプロピレンイミンデンドリマーからなる群より選択される、請求項５記載の化学発光基質送達システム。
【請求項７】
化学発光基質が、
３−（２′−スピロアダマンタン）−４−メトキシ−４−（３″−ホスホリルオキシ）フェニル−１，２−ジオキセタン；
２ナトリウム  ３−（４−メトキシスピロ［１，２−ジオキセタン−３，２′−（５′−クロロ）トリシクロ［３．３．１．１３．７］デカン］−４−イル）フェニルホスファートジオキセタン；及び
２ナトリウム  ２−クロロ−５−（４−メトキシスピロ［１，２−ジオキセタン−３，２′−（５′−クロロ）トリシクロ［３．３．１．１３．７］デカン］−４−イル）フェニルホスファート
からなる群より選択されるジオキセタン部分を含む、請求項１記載の化学発光基質送達システム。
【請求項８】
化学発光基質が、ジオキセタン部分を含み、かつ基質送達システムが、式：
【化１】
2004524521.tif 000003
（式中、
「リンカー」は、リンカー部分を表し；
「デンドリマー」は、デンドリマーの表面官能基と、リンカー部分の官能基との反応から得られるデンドリマー部分を表し；
Ｎは、デンドリマー部分に結合した化学発光基質の数を示す正の整数であり；
Ｙは、Ｈ、ヒドロキシル基、ハロゲン、非置換アルキル基、ヒドロキシ置換アルキル基、ハロゲン置換アルキル基、フェニル基、ハロゲン化フェニル基、アルコキシ置換フェニル基、アルコキシフェノキシ基、ヒドロキシアルコキシ基、シアノ基、アミド基、アルコキシ基又はカルボキシル基であり；
Ｒは、Ｃ１〜Ｃ１２アルキル、モノ−、ジ−若しくはトリ−ハロアルキル、アリール又はアラルキルであり；
Ｘは、ホスファート、ガラクトシド、アセタート、１−ホスホノ−２，３−ジアシルグリセリド、１−チオ−Ｄ−グルコシド、アデノシントリホスファート、アデノシンジホスファート、アデノシンモノホスファート、アデノシン、α−Ｄ−グルコシド、β−Ｄ−グルコシド、β−Ｄ−グルクロニド、β−Ｄ−マンノシド、β−Ｄ−マンノシド、β−Ｄ−フルクトフラノシド、β−グルコシドウロナート、５−アセトアミド−３，５−ジデオキシ−α−Ｄ−グリセロ−Ｄ−ガラクト−２−ノヌロピラノシド、５−アセトアミド−３，５−ジデオキシ−α−Ｄ−グリセロ−Ｄ−ガラクト−２−ノヌロピラノシドのアルコキシ誘導体、ｐ−トルエンスルホニル−Ｌ−アルギニンエステル、及びｐ−トルエンスルホニル−Ｌ−アルギニンアミドからなる群より選択される、酵素不安定基であり；そして
Ｚは、ハロ、アルコキシ又はアルキル基である）
で表される、請求項１記載の化学発光基質送達システム。
【請求項９】
リンカー部分が、式：
【化２】
2004524521.tif 000004
（式中、
ｎは、正の整数であり；
Ａは、Ｈ、アルキル、トリハロアルキル又はアリールであり；そして
Ｂは、独立して、ＮＡ、ＮＣ（Ｏ）Ａ、Ｏ、Ｓ又はＣＨ２である）
で表される、請求項８記載の化学発光基質送達システム。
【請求項１０】
化学発光基質が、ジオキセタン部分を含み、かつ送達システムが、式：
【化３】
2004524521.tif 000005
（式中、
「リンカー」は、リンカー部分を表し；
「デンドリマー」は、デンドリマーの表面官能基と、リンカー部分の官能基との反応から得られるデンドリマー部分を表し；
Ｎは、デンドリマー部分に結合した化学発光基質の数を示す正の整数であり；
Ｙは、Ｈ、ヒドロキシル基、ハロゲン、非置換アルキル基、ヒドロキシ置換アルキル基、ハロゲン置換アルキル基、フェニル基、ハロゲン化フェニル基、アルコキシ置換フェニル基、アルコキシフェノキシ基、ヒドロキシアルコキシ基、シアノ基、アミド基、アルコキシ基又はカルボキシル基であり；
Ｒは、Ｃ１〜Ｃ１２アルキル、モノ−、ジ−若しくはトリ−ハロアルキル、アリール又はアラルキル基であり；
Ｘは、ホスファート、ガラクトシド、アセタート、１−ホスホノ−２，３−ジアシルグリセリド、１−チオ−Ｄ−グルコシド、アデノシントリホスファート、アデノシンジホスファート、アデノシンモノホスファート、アデノシン、α−Ｄ−グルコシド、β−Ｄ−グルコシド、β−Ｄ−グルクロニド、β−Ｄ−マンノシド、β−Ｄ−マンノシド、β−Ｄ−フルクトフラノシド、β−グルコシドウロナート、５−アセトアミド−３，５−ジデオキシ−α−Ｄ−グリセロ−Ｄ−ガラクト−２−ノヌロピラノシド、５−アセトアミド−３，５−ジデオキシ−α−Ｄ−グリセロ−Ｄ−ガラクト−２−ノヌロピラノシドのアルコキシ誘導体、ｐ−トルエンスルホニル−Ｌ−アルギニンエステル、及びｐ−トルエンスルホニル−Ｌ−アルギニンアミドからなる群より選択される、酵素不安定基であり；そして
Ｔは、Ｈ、電子供与性基、電子吸引性基、又は補助的な発蛍光団若しくは生物学的な部分に結合していてもよい有機リンカー基である）
で表される、請求項１記載の化学発光基質送達システム。
【請求項１１】
リンカー部分が、式：
【化４】
2004524521.tif 000006
（式中、
ｎは、正の整数であり；
Ａは、Ｈ、アルキル、トリハロアルキル又はアリールであり；そして
Ｂは、独立して、ＮＡ、ＮＣ（Ｏ）Ａ、Ｏ、Ｓ又はＣＨ２である）
で表される、請求項１０記載の化学発光基質送達システム。
【請求項１２】
化学発光基質が、ジオキセタン部分を含み、かつ送達システムが、式：
【化５】
2004524521.tif 000007
（式中、
「リンカー」は、リンカー部分を表し；
「デンドリマー」は、デンドリマーの末端官能基と、リンカー部分の官能基との反応から得られるデンドリマー部分を表し；
Ｎは、デンドリマー部分に結合した化学発光基質の数を示す正の整数であり；
Ｙは、Ｈ、ヒドロキシル基、ハロゲン、非置換アルキル基、ヒドロキシ置換アルキル基、ハロゲン置換アルキル基、フェニル基、ハロゲン化フェニル基、アルコキシ置換フェニル基、アルコキシフェノキシ基、ヒドロキシアルコキシ基、シアノ基、アミド基、アルコキシ基又はカルボキシル基であり；
Ｒは、Ｃ１〜Ｃ１２アルキル、モノ−、ジ−若しくはトリ−ハロアルキル、アリール又はアラルキル基であり；そして
Ｘは、ホスファート、ガラクトシド、アセタート、１−ホスホノ−２，３−ジアシルグリセリド、１−チオ−Ｄ−グルコシド、アデノシントリホスファート、アデノシンジホスファート、アデノシンモノホスファート、アデノシン、α−Ｄ−グルコシド、β−Ｄ−グルコシド、β−Ｄ−グルクロニド、β−Ｄ−マンノシド、β−Ｄ−マンノシド、β−Ｄ−フルクトフラノシド、β−グルコシドウロナート、５−アセトアミド−３，５−ジデオキシ−α−Ｄ−グリセロ−Ｄ−ガラクト−２−ノヌロピラノシド、５−アセトアミド−３，５−ジデオキシ−α−Ｄ−グリセロ−Ｄ−ガラクト−２−ノヌロピラノシドのアルコキシ誘導体、ｐ−トルエンスルホニル−Ｌ−アルギニンエステル、及びｐ−トルエンスルホニル−Ｌ−アルギニンアミドからなる群より選択される、酵素不安定基である）
で表される、請求項１記載の化学発光基質送達システム。
【請求項１３】
リンカー部分が、式：
【化６】
2004524521.tif 000008
（式中、
ｎは、正の整数であり；
Ａは、Ｈ、アルキル、トリハロアルキル又はアリールであり；そして
Ｂは、独立して、ＮＡ、ＮＣ（Ｏ）Ａ、Ｏ、Ｓ又はＣＨ２である）
で表される、請求項１２記載の化学発光基質送達システム。
【請求項１４】
化学発光基質が、ジオキセタン部分を含み、かつ送達システムが、式：
【化７】
2004524521.tif 000009
（式中、
「リンカー」は、リンカー部分を表し；
「デンドリマー」は、デンドリマーの末端官能基と、リンカー部分の官能基との反応から得られるデンドリマー部分を表し；
Ｎは、デンドリマー部分に結合した化学発光基質の数を示す正の整数であり；
Ｙは、Ｈ、ヒドロキシル基、ハロゲン、非置換アルキル基、ヒドロキシ置換アルキル基、ハロゲン置換アルキル基、フェニル基、ハロゲン化フェニル基、アルコキシ置換フェニル基、アルコキシフェノキシ基、ヒドロキシアルコキシ基、シアノ基、アミド基、アルコキシ基又はカルボキシル基であり；
Ｒは、Ｃ１〜Ｃ１２アルキル、モノ−、ジ−若しくはトリ−ハロアルキル、アリール又はアラルキル基であり；そして
Ｘは、ホスファート、ガラクトシド、アセタート、１−ホスホノ−２，３−ジアシルグリセリド、１−チオ−Ｄ−グルコシド、アデノシントリホスファート、アデノシンジホスファート、アデノシンモノホスファート、アデノシン、α−Ｄ−グルコシド、β−Ｄ−グルコシド、β−Ｄ−グルクロニド、β−Ｄ−マンノシド、β−Ｄ−マンノシド、β−Ｄ−フルクトフラノシド、β−グルコシドウロナート、５−アセトアミド−３，５−ジデオキシ−α−Ｄ−グリセロ−Ｄ−ガラクト−２−ノヌロピラノシド、５−アセトアミド−３，５−ジデオキシ−α−Ｄ−グリセロ−Ｄ−ガラクト−２−ノヌロピラノシドのアルコキシ誘導体、ｐ−トルエンスルホニル−Ｌ−アルギニンエステル、及びｐ−トルエンスルホニル−Ｌ−アルギニンアミドからなる群より選択される、酵素不安定基である）
で表される、請求項１記載の化学発光基質送達システム。
【請求項１５】
リンカー部分が、式：
【化８】
2004524521.tif 000010
（式中、
ｎは、正の整数であり；
Ａは、Ｈ、アルキル、トリハロアルキル又はアリールであり；そして
Ｂは、独立して、ＮＡ、ＮＣ（Ｏ）Ａ、Ｏ、Ｓ又はＣＨ２である）
で表される、請求項１４記載の化学発光基質送達システム。
【請求項１６】
化学発光基質が、イソルミノール部分を含み、かつ送達システムが、式：
【化９】
2004524521.tif 000011
（式中、
「リンカー」は、リンカー部分を表し；
「デンドリマー」は、デンドリマーの表面官能基と、リンカー部分の官能基との反応から得られるデンドリマー部分を表し；そして
Ｎは、デンドリマー部分に結合した化学発光基質の数を示す正の整数である）
で表される、請求項１記載の化学発光基質送達システム。
【請求項１７】
リンカー部分が、式：
【化１０】
2004524521.tif 000012
（式中、
ｎは、正の整数であり；
Ａは、Ｈ、アルキル基、トリハロアルキル基又はアリール基であり；そして
Ｂは、独立して、ＮＡ、ＮＣ（Ｏ）Ａ、Ｏ、Ｓ又はＣＨ２である）
で表される、請求項１６記載の化学発光基質送達システム。
【請求項１８】
化学発光基質が、ルシフェリン部分を含み、かつ送達システムが、式：
【化１１】
2004524521.tif 000013
（式中、
「リンカー」は、リンカー部分を表し；
「デンドリマー」は、デンドリマーの表面官能基と、リンカー部分の官能基との反応から得られるデンドリマー部分を表し；
Ｎは、デンドリマー部分に結合した化学発光基質の数を示す正の整数であり；そして
Ｄは、水素、又はホスファート、ガラクトシド、アセタート、１−ホスホノ−２，３−ジアシルグリセリド、１−チオ−Ｄ−グルコシド、アデノシントリホスファート、アデノシンジホスファート、アデノシンモノホスファート、アデノシン、α−Ｄ−グルコシド、β−Ｄ−グルコシド、β−Ｄ−グルクロニド、β−Ｄ−マンノシド、β−Ｄ−マンノシド、β−Ｄ−フルクトフラノシド、β−グルコシドウロナート、５−アセトアミド−３，５−ジデオキシ−α−Ｄ−グリセロ−Ｄ−ガラクト−２−ノヌロピラノシド、５−アセトアミド−３，５−ジデオキシ−α−Ｄ−グリセロ−Ｄ−ガラクト−２−ノヌロピラノシドのアルコキシ誘導体、ｐ−トルエンスルホニル−Ｌ−アルギニンエステル、ｐ−トルエンスルホニル−Ｌ−アルギニンアミド、及びＰＯ３Ｈ２基からなる群より選択される、酵素不安定基である）
で表される、請求項１記載の化学発光基質送達システム。
【請求項１９】
リンカー部分が、式：
【化１２】
2004524521.tif 000014
（式中、
ｎは、正の整数であり；
Ａは、水素又はアルキル基であり；そして
Ｂは、ＮＡ、Ｏ、Ｓ又はＣＨ２である）
で表される、請求項１８記載の化学発光基質送達システム。
【請求項２０】
化学発光基質が、アクリジニウムエステル部分を含み、かつ送達システムが、式：
【化１３】
2004524521.tif 000015
（式中、
「リンカー」は、リンカー部分を表し；
「デンドリマー」は、デンドリマーの表面官能基と、リンカー部分の官能基との反応から得られるデンドリマー部分を表し；
Ｎは、デンドリマー部分に結合した化学発光基質の数を示す正の整数であり；そして
Ｘは、対イオンである）
で表される、請求項１記載の化学発光基質送達システム。
【請求項２１】
リンカー部分が、式：
【化１４】
2004524521.tif 000016
（式中、
ｎは、正の整数であり；
Ａは、水素、アルキル基又はアリール基であり；そして
Ｂは、ＮＡ、Ｏ、Ｓ又はＣＨ２である）
で表される、請求項２０記載の化学発光基質送達システム。
【請求項２２】
化学発光基質が、アクリジニウムスルホニルアミド部分を含み、かつ送達システムが、式：
【化１５】
2004524521.tif 000017
（式中、
「リンカー」は、リンカー部分を表し；
「デンドリマー」は、デンドリマーの表面官能基と、リンカー部分の官能基との反応から得られるデンドリマー部分を表し；
Ｎは、デンドリマー部分に結合した化学発光基質の数を示す正の整数であり；
Ｒは、アルキル又はアリール基であり；そして
Ｘは、対イオンである）
で表される、請求項１記載の化学発光基質送達システム。
【請求項２３】
リンカー部分が、式：
【化１６】
2004524521.tif 000018
（式中、
ｎは、正の整数であり；
Ａは、水素、アルキル基又はアリール基であり；そして
Ｂは、ＮＡ、Ｏ、Ｓ又はＣＨ２である）
で表される、請求項２２記載の化学発光基質送達システム。
【請求項２４】
化学発光基質が、アクリダン部分を含み、かつ送達システムが、式：
【化１７】
2004524521.tif 000019
（式中、
「リンカー」は、リンカー部分を表し；
「デンドリマー」は、デンドリマーの表面官能基と、リンカー部分の官能基との反応から得られるデンドリマー部分を表し；
Ｎは、デンドリマー部分に結合した化学発光基質の数を示す正の整数であり；
Ｄは、ＰＯ３Ｘ２基、グリコシド又はスルファート（ここで、Ｘは、対イオンである）であり；
Ｆは、ＮＡ、Ｓ又はＯであり；そして
Ｚは、ハロ、アルコキシ又はアルキル基である）
で表される、請求項１記載の化学発光基質送達システム。
【請求項２５】
リンカー部分が、式：
【化１８】
2004524521.tif 000020
（式中、
ｎは、正の整数であり；
Ａは、水素又はアルキル基であり；そして
Ｂは、ＮＡ、Ｏ、Ｓ又はＣＨ２である）
で表される、請求項２４記載の化学発光基質送達システム。
【請求項２６】
デンドリマーが、１つ以上の追加のデンドリマーと共有結合又はイオン結合で結合している、請求項１記載の化学発光基質送達システム。
【請求項２７】
基質送達システムが、化学発光エンハンサー部分をさらに含む、請求項１記載の化学発光基質送達システム。
【請求項２８】
エンハンサー部分が、化学発光増強分子をデンドリマーの反応性部位に結合させることにより形成されるか、又はデンドリマーの反応性部位を増強部分に化学的修飾させることにより形成される、請求項２７記載の化学発光基質送達システム。
【請求項２９】
エンハンサー部分が、デンドリマーのアミノ基のペルアルキル化により、デンドリマーのアミノ基のペルアルキルカルボニル化によリ、又はデンドリマーのアミド基のアルキル化により形成される、請求項２８記載の化学発光基質送達システム。
【請求項３０】
エンハンサー部分を、デンドリマーのカルボキシラート基と、アミノ結合アンモニウム、ホスホニウム又はスルホニウム塩との反応により形成する、請求項２８記載の化学発光基質送達システム。
【請求項３１】
第二のデンドリマーをさらに含む、請求項１記載の化学発光基質送達システムであって、第二のデンドリマーが、化学発光エンハンサー部分を含み、かつ第二のデンドリマーが、少なくとも１つの酵素活性な化学発光基質部分に結合したデンドリマーと共有結合又はイオン結合で結合している、送達システム。
【請求項３２】
化学発光基質及び／又はデンドリマーが、１つ以上の水可溶性基を含む、請求項１記載の化学発光性送達システム。
【請求項３３】
１つ以上の水可溶性基が、カルボン酸、エステル、アルキル−オキシド、アリール−オキシド、アルキル−アミド、アリール−アミド、アラルキル−アミド、アルキル−ウレタン、アリール−ウレタン、アルキル−スルホンアミド、アリール−スルホンアミド、アルキル−スルホン酸、アリール−スルホン酸、第四級アンモニウム塩、及びそれらの組み合わせからなる群より選択される、請求項３２記載の化学発光基質送達システム。
【請求項３４】
サンプル中の検体の存在又は濃度を測定するためのアッセイを実施するためのキットであって、
少なくとも１つの酵素活性な化学発光基質部分を含むデンドリマー；及び
化学発光基質を活性化して、発光分解する過酸化中間体を生成することができる酵素
を含むキット。
【請求項３５】
酵素活性化される化学発光基質部分が、酵素不安定基を有するジオキセタンを含み、かつ酵素が、酵素不安定基を切断して、過酸化中間体を生成することができる、請求項３４記載のキット。
【請求項３６】
化学発光増強物質をさらに含む、請求項３５記載のキット。
【請求項３７】
アッセイが、免疫アッセイであり、かつ酵素が、検体に結合することができる薬剤との複合体を形成する、請求項３４記載のキット。
【請求項３８】
アッセイが、ＤＮＡプローブアッセイであり、キットが、アッセイを実施することができる膜をさらに含む、請求項３４記載のキット。
【請求項３９】
基質から得られる化学発光シグナルを増加させるための増強物質をさらに含む、請求項３８記載のキット。
【請求項４０】
酵素が、薬剤との複合体を形成し、かつ薬剤が、検体との複合体を形成することができる、請求項３８記載のキット。
【請求項４１】
アッセイが、ＤＮＡ配列分析アッセイであり、かつキットが、該配列分析アッセイを実施することができる膜をさらに含む、請求項３４記載のキット。
【請求項４２】
キットが、化学発光増強物質をさらに含む、請求項４１記載のキット。
【請求項４３】
酵素が、アッセイで配列を決定すべきＤＮＡに対し酵素の付着を可能にする薬剤との複合体を形成する、請求項４１記載のキット。
【請求項４４】
酵素が、化学発光基質を酸化し、過酸化中間体を生成することができる、請求項３４記載のキット。
【請求項４５】
化学発光基質が、ルミノール部分、イソルミノール部分、アクリジニウムエステル部分、アクリジニウムスルホニルアミド部分又はルシフェリン部分からなる群より選択される部分を含む、請求項４４記載のキット。
【請求項４６】
サンプル中の検体の存在を検出する方法であって、以下の工程：
酵素と、検体に結合しうる物質との間で、酵素複合体を形成する工程；
酵素複合体を、サンプルに添加する工程；
酵素複合体を、サンプル中に存在する検体と結合させる工程；
サンプルに、化学発光送達システムを添加する工程；及び
サンプルからの化学発光を測定する工程；
を含み、ここで、化学発光送達システムが、デンドリマー及びデンドリマーと結合した、少なくとも１つの酵素活性な化学発光基質を含み、かつ測定された化学発光量が、サンプル中の検体の存在及び／又は濃度を示す方法。
【請求項４７】
測定工程の前に、検体と結合していない酵素複合体を除去する工程をさらに含む、請求項４６記載の方法。
【請求項４８】
検体に結合しうる基質が、抗原、抗体又は核酸プローブである、請求項４６記載の方法。
【請求項４９】
アッセイを、固体支持体上で実施する、請求項４６記載の方法。
【請求項５０】
検体の存在が、固体支持体上のアレイに配置された複数のサンプルにおいて検出される、請求項４９記載の方法。
【請求項５１】
固体支持体に検体を結合させることをさらに含む、請求項４９記載の方法。
【請求項５２】
酵素が、グリコシダーゼ、エステラーゼ、プロテアーゼ、オキシダーゼ、ペプチダーゼ及びホスファターゼからなる群より選択される、請求項４６記載の方法。
【発明の詳細な説明】
【技術分野】
【０００１】
関連出願に対するクロスリファレンス
本出願は、２００１年１月８日に出願した米国仮出願No. 60/259,870、及び２００１年４月２６日に出願した米国仮出願No. 60/286,383に基づく。
【０００２】
発明の分野
本発明は、樹状ポリマー化学発光基質コンジュゲート（conjugate）；樹状ポリマー化学発光基質コンジュゲートの合成；樹状ポリマー化学発光基質コンジュゲートを含む組成物；及び樹状ポリマー化学発光基質コンジュゲートの使用方法に関する。本発明はまた、樹状ポリマー化学発光基質コンジュゲートと組み合わせたエンハンサー物質の使用に関する。複数（すなわち、３〜３０７２）の酵素活性化可能な化学発光基質を結合することにより、検出可能な化学発光を増幅する、樹状ポリマー化学発光基質コンジュゲート及びエンハンサー樹状ポリマー化学発光基質コンジュゲートは、免疫アッセイ、化学的アッセイ及び核酸プローブアッセイにおいて、並びに合成ポリマー、タンパク質、核酸等を含む高分子の微細構造を研究するための化学的／物理的プローブ処理において、化学的若しくは生物学的物質の存在の検出又は濃度の測定に有用である。
【０００３】
背景技術
樹状ポリマー（さもなければ、「デンドリマー」として知られている）は、一様なポリマーであり、中心核、内部樹状（高分岐）構造及び末端基による外部表面を有する高分岐デンドリマー、アルボロール、フラクタルポリマー及び星形デンドリマーとして、文献に色々な名前で言及されている。これらのポリマーは、形態及び機能の双方において、古典的な直鎖状ポリマーとは相違する。直鎖状ポリマーの化学的性質は、微視的なサイズから巨視的なサイズまでの生成物種の分布をもたらす、無秩序な、制御されていないプロセスに由来する。ポリマーの分子直線性は、分子量の増加と共に急激に増加する粘度、ランダムなコイル内に隠された部位のための平凡な化学的反応性及び可変若しくは平凡な溶解度といった巨視的な性質を規定するひどく絡み合った巨大分子集団をもたらす。対照的に、デンドリマーの化学的性質は、サイズ、形態トポロジー、フレキシビリティ及び表面基の厳密な制御により巨大分子を構築している。分岐合成として知られているところでは、これらの高分子は、イニシエーターの核を、高収率の相互反応配列で反応させることにより開始して、明確な表面基を有する核から放射状に広がる対称な分岐を構築する。あるいは、収束合成として知られているところでは、樹状の楔を、表面から中心部に向かって内側へ構築し、次いで数個の樹状の楔を、中心部で多官能性の核と結合させる。樹状合成は、世代として知られる同心性の層を形成し、各世代は分子量及び分岐末端での反応性基の数を倍加し、そのため最終的な世代のデンドリマーは、高純度で、広範な条件にわたって容易に溶解する一様な単分散の巨大分子である。以下に論ずる理由により、デンドリマーの分子量は３００〜７００，０００ダルトンの範囲であり、表面基（例えば、結合のための反応性部位）の数は３〜３，０７２の範囲である。
【０００４】
デンドリマーが各世代と共に発展するに従って、分岐の密集による立体的な制約が、ポリマーの形状を、ヒトデ型分子から球状分子まで変化させる。例えば、星形ポリアミドアミン（「ＰＡＭＡＭ」）デンドリマーに関して、０〜３世代は、ドーム型であり、４世代は、扁球型を有する遷移世代であり、そして５世代以降は、中空の内部及び表面外皮を有するシンメトリックな球状である。（分岐末端での表面の密集を増加させることにより生じる）サイズの増加に伴う、ドーム型から球状への、この形状の変化は、樹状ポリマーの一般的な特徴である。
【０００５】
樹状の発展、形状及びトポロジーは、核、内部分岐構造及び表面基によって制御される。デンドリマーは、一定の末端表面基エリアを保持するように、シンメトリックに拡張する。例えば、星形デンドリマーに関して、表面基−ＣＯ２Ｍｅは、９３Ａ２／基を要し、一方表面基−ＮＨ２は、１５０Ａ２／基を要する。より大きな立体的なかさを有する末端基、例えば−ＮＨ２は、ＰＡＭＡＭで観察されたように表面の立体的な相互作用により、より大きな核中空の形成を促進する。対照的に、ポリエーテル星形デンドリマーは、３世代以内に密集状態になり、非常にわずかな内部空洞しか有さない。一般に、樹状の発展は、表面の反応性部位の立体的な密集状態が、さらなる化学的な修飾を妨げるので、自己制約的となる；ＰＡＭＡＭ星形デンドリマーの場合、これが９〜１０世代で起こる。
【０００６】
本明細書で論じるように、樹状の表面は、表面の化学的性質として利用可能な、３〜３，０７２個の末端基を持つことができる；末端基の数は、（立体の密集状態を規定する）デンドリマー構造の種類及びデンドリマーの世代による。アミノ（ＮＨ２）末端化デンドリマーは、例えばマイケルアクセプター（ＣＨ２＝ＣＨＣＯ２Ｒ）、α−ハロエステル、エポキシド、アジリジン、活性化カルボン酸、酸クロリド、ハロゲン化ベンジル、カーボナート及びアルデヒドと反応する。ヒドロキシル（ＯＨ）末端化デンドリマーは、例えばハロスルホン酸エステル、活性化カルボン酸及び酸クロリドと反応する。エステル及び酸（ＣＯ２Ｒ、ＣＯ２Ｈ）末端化デンドリマーは、例えばアミンと反応し、そしてハロゲン化物末端化デンドリマーは、例えばアミン並びにアルコキシド及びチオアルコキシドアニオンと反応する。他の反応性表面基は、特に、ハロゲン化カルボキシ、イミノ、イミド、アルキルアミノ、ジアルキルアミノ、アルキルアリールアミノ、シアノ、スルホン酸エステル、ジチオピリジル及びスルフヒドリルを含む。通常デンドリマー表面の化学反応は、表面に立体の密集状態がなければ、単一の有機分子と同様に速やかに、特異的かつ高収率で起こる。星形ＰＡＭＡＭデンドリマー（ＮＨ２−末端化、ＯＨ−末端化及びＣＯ２Ｒ−末端化）及びアストラモール（Astramol）ＰＥＩデンドリマー（ＮＨ２−末端化）を含む、市販のデンドリマーの構造は、図１Ａ〜１Ｄに示されており、Aldrich Chemical Co.、Dendritech Inc. 及び DSM Fine Chemicalsから入手可能である。加えて、反応性表面基を有する多くの他の樹状ポリマーが合成され、かつ論文に報告されている（総説として、例えば、“Dendritic Molecules: Concepts, Syntheses, Perspectives,”G. R. Newkome, C. N. Moorefield, F. Vogtle, VCH Publishers, Inc. New York (1996) 及び最後に引用した参考文献を参照のこと）。
【０００７】
近年、樹状ポリマーのサイズ、形状及び性質を、分子的に特定の末端の使用に適合するようにあつらえることができることが見出された。樹状ポリマーは、従ってポリマー単位あたり、高濃度の担持物質の送達、制御された送達、標的送達及び／又は多種の送達あるいは使用の手段を提供することができるという、重要な利点を有する。
【０００８】
米国特許第5,338,532号、第5,527,524号及び第5,714,166号は、薬剤、トキシン、金属イオン、放射性核種、信号発生剤（signal generators）、信号反射剤（signal reflectors）、キレート化金属、信号吸収剤（signal absorbers）、抗体、ホルモン、生体応答調節剤、診断用乳濁剤、蛍光性部分及び除去剤を含む、様々な物資と結合した高密度星形ポリマー又は星形ポリマー；コンジュゲートの製造方法；コンジュゲートを含む組成物；及びコンジュゲートの使用方法を開示している。
【０００９】
米国特許第5,482,698号は、複数のアビジン又はビオチン結合部位を有するポリマーを含む病変を検出又は処理する方法であって；アビジン又はビオチンに検出剤又は治療剤を添加し；そして病変を検出又は処理する方法を開示している。
【００１０】
米国特許第5,443,953号及び第5,635,603号は、グリコシル化抗体フラグメントを含む可溶性免疫コンジュゲート、並びに少なくとも１つの遊離のアミン基を有するポリマー担体及びポリマー担体に共有結合した検出可能な標識分子を含む中間体コンジュゲートを開示している。
【００１１】
上記に引用した参考文献のいずれも、化学発光基質と樹状ポリマーとの結合を開示していない。
【００１２】
１，２−ジオキセタン酵素基質は、様々なタイプの酵素アッセイに使用される、極めて有効な化学発光リポーター分子として確立されている。これらのアッセイは、放射性同位体、発蛍光団、複雑なカラーシフト、２次反応等に依存する通常のアッセイに代わる好ましい方法を提供する。この目的で開発されたジオキセタンは、米国特許第4,978,614号、第5,112,960号、第5,538,847号及び第5,582,980号、並びに米国特許出願第09/362,047号（係属中）に記載されたものである。米国特許第4,978,614号は、特に、ＰＥ社（ＮＹ）の登録商標である商品名ＡＭＰＰＤ（登録商標）の下に、アプライドバイオシステムズ（Applied Biosystems）から市販されている３−（２′−スピロアダマンタン）−４−メトキシ−４−（３″−ホスホリルオキシ）フェニル−１，２−ジオキセタンを開示している。米国特許第5,112,960号、第5,538,847号及び第5,582,980号は、アダマンチル安定化環を、ヒドロキシ、ハロゲン等を含む様々な置換基で、いずれかの橋頭位置で置換し、別の状況では静的な又は容易に化合しないアダマンチル安定化基を、ジオキセタン環の分解速度に係る活性基に変換する類似の化合物を開示している。このタイプの化合物は、多くの適用において、ＡＭＰＰＤ（登録商標）よりも急速かつ強いシグナルを与える。ＰＥ社（ＮＹ）の登録商標であるＣＳＰＤ（登録商標）は、アダマンチル基に塩素置換基を有する第二世代のジオキセタンである。この物質はまた、アプライドバイオシステムズからも入手可能である。ＣＳＰＤ（登録商標）は、光強度及び検出感度の改善をもたらす。米国特許出願第09/362,047号は、酵素により切断可能な、化学発光１，２−ジオキセタンを開示しており、それは可視スペクトルの赤色又は緑色端に近接した波長で放射する。本段落で引用した各々の特許及び特許出願は、そのまま参照として本明細書に組み込まれる。
【００１３】
化学発光を生ずる反応は、媒質が、メッセージでなくとも、伝達されたメッセージの強度を決定することができるという、さらに別の例を示す。化学発光化合物は、中程度の極性又は極性非プロトン性有機溶媒のような物質、例えばｎ−ブタノール、アセトニトリル、ジメチルスルホキシド又はジメチルホルムアミド中での分解で、容易な検出及び定量に十分な強度の光を放射する発蛍光団を生じるが、極性プロトン性の環境下、特に水性媒体中で分解した場合、かなり光強度が小さくなる。しかし、全ての生物学的系は、水性（実際、ヒトは約９７％水である）であるゆえに、免疫アッセイ、核酸プローブアッセイ、化学的／物理的プローブ技術及び他のバイオアッセイにおいて、化学発光標識又は基質により生じる光強度を増強する必要があることは明らかである。そのような増強を提供する一つの方法は、高価な光学式又電子装置：シングルフォトンカウンター、照度計、シンチレーションカウンター等を使用することである。
【００１４】
ジオキセタンは、特定の適用において、１０−１２Ｍ程度の低濃度の検体の存在に関するアッセイにおける感度の増強のために、特に開発されたものであるが、１０−１２Ｍ以下の濃度の検体を検出するため、ジオキセタンは、エンハンサーと共に用いられる。天然及び合成の水溶性高分子を含む、これらの増強剤は、米国特許第5,145,772号に詳細に開示されている。好ましい増強剤は、水溶性の高分子第四級アンモニウム、ホスホニウム若しくはスルホニウム塩、並びにそれらのコポリマー及び／又は混合物、例えばポリ（ビニルベンジルトリメチルアンモニウムクロリド）（ＴＭＱ）、ポリ（ビニルベンジルトリブチルアンモニウムクロリド）（ＴＢＱ）及びポリ（ビニルベンジルジメチルベンジルアンモニウムクロリド）（ＢＤＭＱ）を含む。
【００１５】
これらの増強剤は、ジオキセタンを隔離する疎水性の周囲環境を提供することによって、明らかにジオキセタンリポーター分子の化学発光シグナルを改善する。体液の使用のために大部分のアッセイにおいて不可避な水は、ジオキセタン化学発光の天然の「消光剤（quencher）」である。増強分子は、ジオキセタン分子、又は少なくとも励起状態のエミッター種が存在する微環境から、明らかに水を排除し、結果として化学発光の増強をもたらす。エンハンサー−ジオキセタン相互作用と関連するその他の効果もまた、化学発光増強に寄与することができる。
【００１６】
ジオキセタンに加えて、ルミノール誘導体、アクリジニウムエステル、アクリジニウムスルホニルアミド及びルシフェリンが、バイオアッセイにおいて化学発光標識として用いられる（Schroeder et al., Anal. Chem., 50,1114 (1978); Arakawa et al., Anal. Biochem., 79,248 (1979); 及びArakawa et al., Clin. Chem., 31,430 (1985)。総説として: Kricka et al., Clinical and Biochemical Luminescence, L. J. Kricka and T. J. N. Carter (Eds.), Chapter 8, Marcel Dekker, Inc., New York (1982); Kricka, Ligand-Binder Assays, Chapter 7, Marcel Dekker, Inc., New York, (1985); McCapra et al., Bioluminescence and Chemiluminescence : Instruments and Applications, Vol. I, K. Van Dyke (Ed.), CRC Press, Inc., Boca Raton, Fla. (1985), Chapter 2 (特に、第13頁、ジオキセタンの部を注目されたい); 及びBarnard et al., Ibid, Ch. 7を参照されたい）。酵素標識は、カラー又は蛍光顕色技術によって検出される。近年、化学発光酵素免疫アッセイは、ルミノール／過酸化水素、ピロガロール／過酸化水素、Pholas dactylusルシフェリン、又はルミノールを用いてアルカリ条件下で評価されるペルオキシダーゼコンジュゲートに基づく（Kricka et al., Clinical and Biochemical Luminescence, Chapter 8, L. J. Kricka and T. J. N. Carter (Eds.), Marcel Dekker, Inc., New York (1982)）。
【００１７】
背景として、酵素活性化される化学発光基質は、酵素不安定基をそこで切断する酵素に対する基質として作用することによって、リポーター分子として使用される。このように酵素（例えば、アルカリホスファターゼ）は、通常の抗原／抗体リガンド結合アッセイにおける抗原若しくは抗体のいずれかと、又は核酸アッセイにおける核酸プローブと共有結合又はその他の複合体形成をすることができる。抗原若しくは抗体又は核酸プローブを有する酵素は、次いで標的抗原、又は核酸配列を含有すると疑われる検体と、抗体／抗原又はプローブ／核酸配列の間で複合体形成又はハイブリッド形成が可能な条件下に混ぜる。全ての非複合化又は非ハイブリッド化原料を洗浄除去又は分離除去した後、化学発光基質を添加する。疑わしい検体が存在する場合、酵素は、酵素不安定基化学発光基質を切断し、分解する中間体を生じる。分解現象が、発光現象である。
【００１８】
極めて低濃度（例えば、約１０−１２Ｍ以下）の検体を検出するため、化学発光基質リポーター分子のシグナル強度を改善することが望ましく、同時に、アッセイの総合的な感度を改善するように、非酵素処理由来の発光によるバックグラウンドノイズの増加を回避することが望ましい。このように、化学発光基質の使用においてさらなる改善が求められている。
【００１９】
本開示に引用された全ての特許及び文献は、参照として本明細書に組み込まれる。
【００２０】
発明の概要
本発明の目的は、化学発光リポーターによって放出されるシグナルに依存する、機械の判読率、感度及びアッセイのパフォーマンス面を改善することを含む、化学発光基質のパフォーマンスを改善することである。
【００２１】
本発明のもうひとつの目的は、臨床アッセイを自動化し、高密度アレイ（マイクロアレイ）でのハイスループットスクリーニングを提供するため、アッセイの総合的な感度を改善するように、化学発光基質のシグナルの強度及び分解能を改善し、同時に非酵素処理由来の発光によるバックグラウンドノイズの増加を回避することである。
【００２２】
上記の目的は、１つ以上の酵素活性化可能な化学発光基質を樹状ポリマーに結合させることによって、光シグナルを増幅するような、新規の樹状ポリマー化学発光基質により満たされる。シグナルの分解能はまた、高分子量の樹状骨格の摩擦抗力、すなわち、増加した分子サイズ、形状、分岐及び／又は累積荷電効果のため鈍化した分子拡散により改善し、これが酵素標識により発光を基質活性化領域に制限している。
【００２３】
本発明の化学発光基質は、複数の基質リポーター分子を樹状ポリマーの増強領域に結合させることにより、さらに増強させることができる。この方法では、水の消光から、より効果的な基質の隔離を実現することができる。いったん基質が発生すれば、効果的な化学発光増強のため、初期のリポーターは、すぐ近くの樹状ポリマーの疎水性増強領域に組み込むことができる。化学発光シグナルの増強は、結果として検出感度の増大をもたらす。
【００２４】
上記の目的に関して、本発明は、水性及び混合媒質中での化学発光基質の分解により放出された（例えば、光学的に検出可能な）電磁エネルギーの検出能における改善を提供する。特に、本発明は、用いた化学発光基質の分解により放出された（例えば、光学的に検出可能な）電磁エネルギーの検出を増加させる手段を提供し、水性及び混合サンプル中での物質の存在を検出するか、あるいは濃度又は構造を測定する。本発明はさらに、用いた化学発光基質の分解により放出された電磁（例えば、光学的に検出可能な）エネルギーの検出能における改善を提供し、技術的に公認の免疫アッセイ、化学的アッセイ又は核酸プローブアッセイ技術により、化学的又は生物学的物質の存在を検出するか、あるいは濃度を測定する。本発明はまた、分子構造又は微細構造を研究するための、化学発光基質の分解により放出された電磁（例えば、光学的に検出可能な）エネルギーの検出能における改善を提供する。
【００２５】
本発明はまた、樹状ポリマー化学発光基質及びそのための中間体を調製する方法に関する。例えば、樹状ポリマーと化学発光基質とのコンジュゲートを調製するための第１の工程は、化学発光基質と樹状ポリマーとの結合を促進する温度で、適切な溶媒中、樹状ポリマーを化学発光基質と反応させることを含む。このように樹状の表面を、リンカー部分に適切な反応性部位を有するジオキセタン、ルミノール、イソルミノール、アクリジニウムエステル、アクリジニウムスルホニルアミド及びその他ルシフェリンのような分子で結合することにより修飾することができる。この工程のさらに完全な議論を、以下に提供する。
【００２６】
従って、本発明は、樹状ポリマー化学発光基質コンジュゲート、コンジュゲートの調製方法、コンジュゲートを含む組成物及びコンジュゲート及び組成物の使用方法に関する。
【００２７】
これらの目的及び他の目的、並びに本発明の性質、範囲及び利用は、以下の詳細な説明、及び図面から、当業者には直ちに明らかになるであろう。
本発明は添付の図面を参照することでより理解されるであろう。これらの図は、例示に過ぎず、本発明の範囲を限定する意にとられるべきものではない。
【００２８】
発明の詳細な説明
酵素によるアッセイの設計は、検出感度の増加と共に、シグナルを発生させる基質の酵素によるターンオーバーによって、有意なシグナル増幅を提供する。酵素基質は、通常、比色、蛍光又は化学発光性である。一般に、化学発光酵素基質は、低い固有ノイズ（例えば、光散乱及び自己蛍光）、及びより高い強度のシグナルアウトプットのため、より広範囲のダイナミックレンジの検出並びに感度の増加を提供する。化学発光性のアウトプットを検出するための機器類はまた、何ら励起源を必要としないため、蛍光検出に要するものよりも単純である。化学発光基質の例は、ジオキセタン（エステラーゼ、アルカリホスファターゼ及びグリコシダーゼ、例えばβ−ガラクトシダーゼ及びβ−グルクロニダーゼのような加水分解酵素により活性化される）、並びにルミノール、イソルミノール、アクリジニウムエステル、アクリジニウムスルホニルアミド及びルシフェリン（ホースラディッシュペルオキシダーゼ、グルコース又はガラクト−スオキシダーゼ及びルシフェラーゼのような酸化酵素により活性化される）を含む。これらの基質は、酵素活性化され、発光を伴い分解する不安定な過酸化中間体を生成する。得られる化学発光シグナルの測定は、免疫アッセイ、リポーター遺伝子アッセイ、ＤＮＡプローブアッセイ及びアレイフォーマットにおける酵素標識の検出を可能にする。
【００２９】
本発明の実施態様によれば、公知の樹状ポリマーの表面に結合した１つ以上のジオキセタン、ルミノール、イソルミノール、アクリジニウムエステル、アクリジニウムスルホニルアミド及び／又はルシフェリンを含有する樹状ポリマー化学発光基質を合成することができる。本発明の樹状ポリマー化学発光基質を合成するために使用されうるいくつかのデンドリマー出発原料の限定的でない例は、図１Ａ〜１Ｄに記載されている。図１Ａは、ＮＨ２の表面基を有するポリアミドアミン（ＰＡＭＡＭ）デンドリマーを示す。図１Ｂは、カルボン酸の表面基を有するポリアミドアミン（ＰＡＭＡＭ）デンドリマーを示す。図１Ｃは、ヒドロキシルの表面基を有するポリアミドアミン（ＰＡＭＡＭ）デンドリマーを示す。図１Ｄは、ＮＨ２の表面基を有するポリプロピレンイミン（ＰＥＩ）デンドリマーを示す。
【００３０】
本発明の樹状ポリマー化学発光基質を合成するために使用されうるプレカーサーを結合した化学発光基質を、図２Ａ〜２Ｌに示す。図２Ａ〜２Ｌにおいて、置換基は、以下のように定義される：
【００３１】
Ａは、Ｈ、アルキル、トリハロアルキル又はアリールであり；
【００３２】
Ｂは、ＮＡ、ＮＣ（Ｏ）Ａ、Ｏ、Ｓ又はＣＨ２（ここで、Ａは、独立してＨ、アルキル、トリハロアルキル又はアリールである）であり；
【００３３】
Ｙは、独立してＨ、ヒドロキシル基、ハロゲン、非置換の低級アルキル基、ヒドロキシ低級アルキル基、ハロ低級アルキル基、フェニル基、ハロフェニル基、アルコキシフェニル基、アルコキシフェノキシ基、ヒドロキシアルコキシ基、シアノ基、アミド基、アルコキシ基又はカルボキシル基であり；
【００３４】
Ｒは、アルキル基（例えば、Ｃ１〜Ｃ１２アルキル基）、ハロアルキル基（例えば、モノ−、ジ−若しくはトリ−ハロアルキル）、アリール基又はアラルキル基であり；
【００３５】
Ｘは、ホスファート、ガラクトシド、アセタート、１−ホスホノ−２，３−ジアシルグリセリド、１−チオ−Ｄ−グルコシド、アデノシントリホスファート、アデノシンジホスファート、アデノシンモノホスファート、アデノシン、α−Ｄ−グルコシド、β−Ｄ−グルコシド、β−Ｄ−グルクロニド、β−Ｄ−マンノシド、β−Ｄ−フルクトフラノシド、β−グルコシドウロナート；５−アセトアミド−３，５−ジデオキシ−α−Ｄ−グリセロ−Ｄ−ガラクト−２−ノヌロピラノシド及びアルコキシ誘導体（例えば、４，７−ジ−Ｏ−メチル）、ｐ−トルエンスルホニル−Ｌ−アルギニンエステル、並びにｐ−トルエンスルホニル−Ｌ−アルギニンアミドからなる群より選択される、酵素不安定基であり；
【００３６】
Ｚは、ハロ、アルコキシ又はアルキル基であり；そして
【００３７】
Ｔは、Ｈ、電子供与性基、電子吸引性基、又は補助的な発蛍光団に若しくはいずれかの生物学的な部分に結合していてもよい有機リンカー基である。
【００３８】
本発明の樹状ポリマージオキセタンコンジュゲートの一般的な構造の例を、図３Ａ〜３Ｏに示す。図３Ａ〜３Ｌにおいて、置換基Ａ、Ｂ、Ｙ、Ｒ、Ｘ、Ｚ及びＴは、図２Ａ〜２Ｌに関して述べたのと同義である。デンドリマーに結合したジオキセタン部分の数を示すＮは、正の整数である。本発明の好ましい態様によれば、図３Ａ〜３ＦにおけるＮは、６〜７６８である。
【００３９】
本発明によれば、図３Ｍは、複数のジオキセタンと結合したカルボン酸の表面基を有する、ポリアミドアミン（ＰＡＭＡＭ）星形デンドリマーを示す。本発明の別の実施態様によれば、図３Ｎは、複数のジオキセタンと結合したアミノ末端基を有する、ポリアミドアミン（ＰＡＭＡＭ）星形デンドリマーを示す。本発明のさらなる実施態様によれば、図３Ｏは、複数のジオキセタンと結合したアミノ表面基を有する、ポリプロピレンイミン（ＰＥＩ）星形デンドリマーを示す。
【００４０】
図４Ａ〜４Ｆは、図３Ａ〜３Ｌに示した樹状ポリマーコンジュゲートに関する合成スキームを示す。図４Ａ〜４Ｆにおいて、置換基Ａ、Ｂ、Ｙ、Ｒ、Ｘ及びＮは、上記と同義である。「アクチベーター」は、混合無水物、ＮＨＳエステル、又はペプチド結合形成を促進するためにペプチド化学で使用されるその他の標準的な官能性であってよい。「脱離基」は、ハロゲン又はメシラート、トシラート若しくはトリフラートのようなスルホン酸エステルであってよい。
【００４１】
図４Ａにおいて、「アリール」置換基は、図３Ａ又は３Ｇに記載されたようにフェニル基又はベンゾチアゾールであってよい。図４Ｂにおいて、「アリール」置換基は、図３Ｂ又は３Ｈに記載されたようにフェニル基又はベンゾチアゾールであってよい。図４Ｃにおいて、「アリール」置換基は、図３Ｃ又は３Ｉに記載されたようにフェニル基又はベンゾチアゾールであってよい。図４Ｄにおいて、「アリール」置換基は、図３Ｄ又は３Ｊに記載されたようにフェニル基又はベンゾチアゾールであってよい。図４Ｅにおいて、「アリール」置換基は、図３Ｅ又は３Ｋに記載されたようにフェニル基又はベンゾチアゾールであってよい。図４Ｆにおいて、「アリール」置換基は、図３Ｆ又は３Ｌに記載されたようにフェニル基又はベンゾチアゾールであってよい。
【００４２】
樹状ポリマーコンジュゲートのさらなる例は、図５Ａ〜５Ｉ及び図６Ａ〜６Ｊに示される。図５Ａ〜５Ｃは、本発明の樹状ポリマーイソルミノールコンジュゲートを示す。図５Ａ〜５Ｃにおいて、Ｎは、上記に述べたのと同義である。本発明の好ましい実施態様によれば、Ｎは、６〜７６８である。図５Ａにおいて、置換基Ａは、水素又はアルキル基であってよい。図５Ｃにおいて、置換基Ａ及びＢは、上記に述べたのと同義である。
【００４３】
本発明の実施態様によれば、図５Ｄは、複数のイソルミノール部分と結合したカルボン酸の表面基を有する、ポリアミドアミン（ＰＡＭＡＭ）星形デンドリマーを示す。本発明の別の実施態様によれば、図５Ｅは、複数のイソルミノール部分と結合したアミノ表面基を有する、ポリアミドアミン（ＰＡＭＡＭ）星形デンドリマーを示す。本発明のさらなる実施態様によれば、図５Ｆは、複数のイソルミノール部分と結合したアミノ表面基を有する、ポリプロピレンイミン（ＰＥＩ）星形デンドリマーを示す。
【００４４】
図５Ｇ〜５Ｉは、本発明のデンドリマーとルシフェリンとのコンジュゲートを示す。図５Ｇ〜５Ｉにおいて、Ｎは、上記に述べたのと同義である。図５Ｇにおいて、置換基Ａは、水素又はアルキル基であってよい。図５Ｇ及び５Ｈにおいて、置換基Ｄは、Ｈ又はＰＯ３Ｈ２であってよい。図５Ｉにおいて、置換基Ｂは、独立して、ＮＡ、Ｏ、Ｓ又はＣＨ２（ここで、置換基Ａは、Ｈ又はアルキル基であってよい）であってよい。
【００４５】
図６Ａ〜６Ｃは、本発明のデンドリマーとアクリジニウムエステルとのコンジュゲートを示す。図６Ａ〜６Ｃにおいて、Ｎは、上記に述べたのと同義であり、Ｘは、ハロゲン化物又はトリフラートのような、対イオンである。図６Ａにおいて、置換基Ａは、Ｈ又はアルキル基であってよい。図６Ｃにおいて、置換基Ｂは、ＮＡ、ＮＨ、Ｏ、Ｓ又はＣＨ２（ここで、置換基Ａは、アルキル又はアリール基であってよい）であってよい。
【００４６】
図６Ｄ〜６Ｉは、本発明のデンドリマーとアクリジニウムスルホニルアミドとのコンジュゲートを示す。図６Ｄ〜６Ｉにおいて、Ｎは、上記に述べたのと同義であり、Ｘは、ハロゲン化物又はトリフラートのような、対イオンである。図６Ｄ及び６Ｇにおいて、置換基Ａは、Ｈ又はアルキル基であってよい。図６Ｄ、６Ｅ、６Ｇ及び６Ｈにおいて、置換基Ｒは、アルキル又はアリール基であってよい。図６Ｆ及び６Ｉにおいて、置換基Ｂは、ＮＡ、ＮＨ、Ｏ、Ｓ又はＣＨ２（ここで、置換基Ａは、アルキル又はアリール基であってよい）であってよい。
【００４７】
本発明の実施態様によれば、図６Ｊは、複数のアクリジニウムエステル部分と結合したカルボン酸の表面基を有する、ポリアミドアミン（ＰＡＭＡＭ）星形デンドリマーを示す。本発明の別の実施態様によれば、図６Ｋは、複数のアクリジニウムスルホンアミド部分と結合したカルボン酸の表面基を有する、ポリアミドアミン（ＰＡＭＡＭ）星形デンドリマーを示す。本発明の別の実施態様によれば、図６Ｌは、複数のアクリジニウムエステル部分と結合したアミノ表面基を有する、ポリアミドアミン（ＰＡＭＡＭ）星形デンドリマーを示す。本発明の別の実施態様によれば、図６Ｍは、複数のアクリジニウムスルホンアミド部分と結合したアミノ表面基を有する、ポリアミドアミン（ＰＡＭＡＭ）星形デンドリマーを示す。本発明のさらなる実施態様によれば、図６Ｎは、複数のアクリジニウムエステル部分と結合したアミノ表面基を有する、ポリプロピレンイミン（ＰＥＩ）星形デンドリマーを示す。本発明のさらなる実施態様によれば、図６Ｏは、複数のアクリジニウムスルホンアミド部分と結合したアミノ表面基を有する、ポリプロピレンイミン（ＰＥＩ）星形デンドリマーを示す。
【００４８】
図６Ｐ〜６Ｒは、本発明のデンドリマーとアクリダン部分のコンジュゲートを示す。図６Ｐ〜６Ｒにおいて、置換基Ｄは、ＰＯ３Ｘ２、グリコシド又はスルファート（ここで、Ｘは、ハロゲン化物又はアンモニウムのような対イオンである）であってよい。置換基Ｆは、ＮＡ、Ｓ又はＯ（ここで、Ａは、Ｈ又はアルキル基であってよい）であってよい。置換基Ｚは、ハロ、アルコキシ又はアルキル基であってよい。Ｎは、正の整数である。本発明の好ましい実施態様によれば、Ｎは、１〜１０の整数である。図６Ｒにおいて、置換基Ｂは、ＮＡ、Ｏ、Ｓ又はＣＨ２（ここで、Ａは、Ｈ又はアルキル基であってよい）であってよい。
【００４９】
図７Ａ〜７Ｃは、本発明の樹状ポリマーイソルミノールコンジュゲートの合成を示す。図７Ａ〜７Ｃにおいて、デンドリマーに結合した化学発光基質の数を示す「Ｎ」は、正の整数であり、「ｎ」は、０又は正の整数である。図７Ａ及び７Ｂにおいて、「アクチベーター」は、混合無水物、ＮＨＳエステル、又はペプチド結合形成を促進するためにペプチド化学で使用されるその他の標準的な官能性であってよい。図７Ａにおいて、「Ａ」は、Ｈ又はアルキル基であってよい。図７Ｃにおいて、「Ｂ」は、ＮＨ又はＯであってよく、「脱離基」は、ハロゲン又はメシラート、トシラート若しくはトリフラートのようなスルホン酸エステルであってよい。本発明の好ましい実施態様によれば、図７Ａ〜７ＣにおけるＮは、６〜７６８の整数である。
【００５０】
図８Ａ〜８Ｆは、いくつかの樹状ポリマーアクリジニウムコンジュゲートの合成を示す。図８Ａ〜８Ｃは、本発明の樹状ポリマーアクリジニウムエステルコンジュゲートの合成を示し、図８Ｄ〜８Ｆは、本発明の樹状ポリマーアクリジニウムスルホニルアミドコンジュゲートの合成を示す。図８Ａ〜８Ｆにおいて：Ｘは、ハロゲン化物又はトリフラートのような対イオンであり；デンドリマーに結合した化学発光基質の数を示す「Ｎ」は、正の整数であり；そして「ｎ」は、０又は正の整数である。本発明の好ましい実施態様によれば、図８Ａ〜８ＦにおけるＮは、６〜７６８の整数である。
【００５１】
図８Ａ、８Ｂ、８Ｄ及び８Ｅにおいて、「アクチベーター」は、混合無水物、ＮＨＳエステル、又はペプチド結合形成を促進するためにペプチド化学で使用されるその他の標準的な官能性であってよい。図８Ａ及び８Ｄにおいて、「Ａ」は、Ｈ又はアルキル基であってよい。図８Ｃ及び８Ｆにおいて：「Ｂ」は、ＮＨ又はＯであってよく；そして「脱離基」は、ハロゲン又はメシラート、トシラート若しくはトリフラートのようなスルホン酸エステルであってもよい。図８Ｄ〜８Ｆにおいて、置換基「Ｒ」は、アルキル又はアリール基であってよい。
【００５２】
２つ以上の異なる化学発光基質をデンドリマー骨格に結合させることもまた望ましい。このように２つの酵素標識化学発光基質を有する樹状ポリマーの例は、図９Ａ〜９Ｃに示されている。本発明の実施態様によれば、図９Ａは、ジオキセタン及びイソルミノール部分と結合した、ポリアミドアミン（ＰＡＭＡＭ）星形デンドリマーを示す。本発明のさらなる実施態様によれば、図９Ｂは、ジオキセタン及びアクリジウムエステル部分と結合した、ポリアミドアミン（ＰＡＭＡＭ）星形デンドリマーを示す。本発明のさらなる実施態様によれば、図９Ｃは、ジオキセタン及びアクリジニウムスルホンアミド部分と結合した、ポリアミドアミン（ＰＡＭＡＭ）星形デンドリマーを示す。
【００５３】
図１０は、ジオキセタン部分及び第四級アンモニウムエンハンサー部分に結合したアミノ表面基を有する、ポリアミドアミン（ＰＡＭＡＭ）デンドリマーを示す。図１０に示したように、第四級アンモニウムエンハンサー部分は、ペルブチル化（perbutylated）アンモニウム部分である。
【００５４】
本発明のさらなる実施態様によれば、図１１は、ジオキセタン部分及びエンハンサー部分の双方に結合したカルボン酸の表面基を有する、ポリアミドアミン（ＰＡＭＡＭ）デンドリマーを示す。本発明のエンハンサー部分は：アミノ末端化高分子第四級アンモニウム、ホスホニウム又はスルホニウム塩；アミノ末端化第四級化Jeffamine類；アミノ末端化第四級化ポリエチレンイミン；又はアミノ末端化ポリ（２−、３−若しくは４−ビニルピリジニウム）塩であってもよい。
【００５５】
「樹状ポリマー」は、規則的な樹状の分岐を示すポリマーであり、一連の又は世代ごとの分岐層を、核に又は核より付加することによって形成される。「樹状ポリマー」なる用語は、核、少なくとも１つの内部分岐層、及び表面分岐層によって特徴付けられる「デンドリマー」を包含する（Petar R. Dvornic and Donald A. Tomalia in Chem. in Britain, 641-645, August 1994を参照のこと）。「デンドロン」は、核である、又は核に結合することができる中心部から放射する分岐を有するデンドリマーの一種であって、直接的にか又は結合部分を介してかのいずれかで、デンドリマーを形成する。多くのデンドリマーは、共通の核に結合した２つ以上のデンドロンを含む。しかしながら、用語デンドリマーは、広く単一のデンドロンを含むことにも用いられる。
【００５６】
樹状ポリマーは、対称及び非対称の分岐デンドリマー、カスケード分子、アルボロール等が含まれるが、これらに限定されず、最も好ましい樹状ポリマーは、高密度星形ポリマーである。本明細書に開示されているＰＡＭＡＭ高密度星形デンドリマーは、分岐部分が、同じ長さからなる、対称性のものである。分岐は、前述の世代分岐上の末端−ＮＨ２基の水素原子で起こる。
【００５７】
規則的な一連の分岐層の付加によって形成されないとしても、高分岐ポリマー、例えば高分岐ポリオールは、分岐パターンがデンドリマーのそれにほほ等しい規則性の程度を示す場合、樹状ポリマーに相当するとしてもよい。
【００５８】
サイズ及び形状制御領域を有するトポロジカルポリマーは、反応性末端基を介して（例としては、共有結合で架橋するか、又は後述のように他の結合を介して）互いに結合したデンドリマーであり、架橋型デンドリマー（bridged dendrimer）と呼ばれている。２つ以上の高密度星形デンドリマーが互いに結合している場合、それらは「凝集」又は「高密度星形凝集」と呼ばれている。
【００５９】
従って、樹状ポリマーは、架橋型デンドリマー及びデンドリマー凝集を含む。樹状デンドリマーは、デンドリマーの世代的な単分散及び世代的な多分散溶液を包含する。単分散溶液中のデンドリマーは、均一のサイズ及び形状ゆえに、実質的に全て同一世代である。多分散溶液中のデンドリマーは、異なる世代のデンドリマーの分布を含む。
【００６０】
樹状ポリマーはまた、表面修飾型デンドリマーも含む。例えば、ＰＡＭＡＭデンドリマーの表面を、アミノ酸（例えば、リシン又はアルギニン）の付加により修飾してもよい。
【００６１】
数種の一般的な結合スキームは、化学発光基質プレカーサーを樹状ポリマーに結合させるのに用いられてもよい。第一の方法は、一級又は二級アミノ−結合化プレカーサー、例えばアルケン若しくはエノールエーテル（すなわち、ジオキセタン調製用）、ルミノール、イソルミノール又はアクリジニウムエステル若しくはアクリジニウムスルホニルアミドを、混合無水物若しくは活性化エステルとして活性化されているか、又はカルボジイミド、ホスホニウム若しくはアンモニウム塩のようなカップリング剤で活性化されているカルボキシラート末端化樹状ポリマーと反応させ、アミド結合を形成させることを含む。一方、アミノ末端化樹状ポリマーが、活性化エステル−結合化化学発光基質プレカーサーと反応し、アミド結合を形成することもできる。アミド結合形成反応のこれらのタイプは、ペプチド合成文献に詳細に報告されており、当業者によって容易に実施されうる。第二の方法は、化学発光基質プレカーサーのリンカー上の脱離基（例えば、ハロゲン化物又はスルホン酸エステル）の、樹状ポリマーのアミノ又はアルコキシ末端基による求核置換反応により、エーテル又はアミン結合を形成することを含む。同様に、同じタイプの結合を、樹状ポリマー表面の脱離基の、結合した化学発光基質プレカーサーを有するアミン−又はアルコキシド−末端化リンカーによる求核置換反応により、合成することができる。第三の方法は、染料化学の分野において公知であり、塩化シアヌルに対し１〜２個の樹状ポリマー表面基を、化学発光基質プレカーサー上のアミノ−、スルフヒドリル−、ヒドロキシル−又はフェノキシ−末端化リンカーにより置換された塩化シアヌル上の残余の１〜２個の反応性塩化物と結合させることを含む。第四の方法は、アビジン−若しくはストレプトアビジン−結合化化学発光基質プレカーサーを、ビオチン化デンドリマーに結合させるか、又は逆にビオチン化化学発光基質プレカーサーを、アビジン−若しくはストレプトアビジン−修飾型デンドリマーに結合させる。文献に記載されている標準的な結合方法を用いて結合した任意の公知のリンカーを、樹状ポリマーに化学発光基質プレカーサーを結合させるのに使用することができる：リンカーと上述の結合方法は、例示に過ぎない。当業者は、適切なカップリング剤及び条件を選択することができ、容易に調製することができる。
【００６２】
樹状ポリマー及び化学発光基質プレカーサーを結合させた後、化学発光基質プレカーサーを修飾し、樹状ポリマー化学発光基質を形成することができる。例えば樹状ポリマージオキセタンの合成を完了するために、結合したプレカーサーエノールエーテルを対応するジオキセタンに光酸化し、酵素切断基の形成を完了するための任意の修飾、例えばリン酸トリエステルのリン酸モノエステルへの脱保護又はβ−ガラクトシドエーテルの脱アシル化が行われる。ジオキセタンの安定性及び／又は増強性を所望であれば、ジオキセタンに対する酸化処理前に、デンドリマー−エノールエーテルコンジュゲートを、アリールアルキル又はハロゲン化アルキルを用いて任意のアミノ部位でペルアルキル化してもよい。
【００６３】
上記に述べた、樹状ポリマー化学発光基質コンジュゲートは、光強度及び／又は感度の改善、並びにシグナル分解能の改善を示す。これらの基質コンジュゲートは、特に酵素アッセイに使用するために調製される。ここで、樹状ポリマージオキセタンコンジュゲートの酵素不安定（例えば、Ｘ）置換基の加水分解酵素による除去（例えば、アルカリホスファターゼ、β−ガラクトシダーゼ又はβ−グルクロニダーゼによる）は、ジオキセタンの分解と化学発光を誘発する。一方、樹状ポリマールミノール、イソルミノール、アクリジニウムエステル、アクリジニウムスルホニルアミド又はルシフェリン基質コンジュゲートの酸化（例えば、ホースラディッシュペルオキシダーゼ、グルコース若しくはガラクト−スオキシダーゼ又はルシフェラーゼによる）は、ジオキセタノンの分解と化学発光を誘発する。酵素は、サンプル中の対象検体であってもよく、あるいはプローブ、抗原若しくは抗体に結合したリポーター分子であってよく、又は特異的結合対の他の構成の存在を検出するための、特異的結合対の任意の構成であってよい。一般に、免疫アッセイ及びアレイフォーマットを含む、現存する広範な様々なアッセイ及びアッセイの形態は、樹状ポリマー化学発光基質コンジュゲートの使用をすることができ、視覚的に検出可能な化学発光シグナルを用い、サンプル中の特定の物質の存在及び／又は濃度を示す。
【００６４】
例えば、サンプル中の酵素を検出するために、サンプルを、検出されようとする酵素によって切断されうる基を有する樹状ポリマージオキセタンコンジュゲートと接触させることができる。酵素は、ジオキセタンの酵素切断基を切断し、ジオキセタンに結合した負に荷電した置換基（例えば、酸素アニオン）を形成する。この負に荷電した置換基は次いでジオキセタンを不安定化し、ジオキセタンを分解させ、光を放出する化学発光発色団を形成させる。この光の放出が、酵素の存在の兆しとして検出される。発光の強度を測定することによって、サンプル中の酵素の濃度を測定することができる。
【００６５】
一方で、サンプルを、オキシダーゼ標識によって酸化されうる樹状ポリマールミノール、イソルミノール、アクリジニウムエステル、アクリジニウムスルホニルアミド又はルシフェリンコンジュゲートと接触させることができる。酵素は直接的にルミノール、イソルミノール、若しくはルシフェリンを酸化するか、又は非直接的にアクリジニウムエステル、若しくはアクリジニウムスルホニルアミドを酸化し、過酸化水素の生成を介して、発光分解する不安定な過酸化中間体となる。検出された発光は、酸化酵素の存在を示す。発光の強度を測定することによって、サンプル中の酵素の濃度を測定することもできる。
【００６６】
水のようなプロトン性溶媒中で、過酸化化学発光基質が分解する場合、光消光反応が起こることが知られている。一般的にアッセイは、水性環境下に行われるため、光消光反応は、実質的に観察される化学発光強度を弱める。一般的にサイズにおいて巨大分子である、水溶性の天然及び合成物質が、水性及び混合（すなわち、水性及び非水性成分を有する）媒体中での化学発光化合物の分解によって生じる発光蛍光団の光強度を増やすことができることも知られている。これらの増強因子は化学発光基質の化学発光シグナルを、明らかに疎水性の環境を与えることによって改善する。水（体液又は生物学的物質の使用により、ほとんどのアッセイの不可避の側面である）は、天然の化学発光の「消光剤」である。増強分子は、明らかに励起状態のエミッタ−種が存在する微小環境から水を排除しており、結果として化学発光の増強をもたらす。エンハンサー−化学発光基質と関連するその他の効果もまた、化学発光の増強にも寄与することができる。本明細書で論じているように、水溶性の高分子第四級アンモニウム、ホスホニウム若しくはスルホニウム塩、並びにそれらのコポリマー及び／又は混合物、例えばポリ（ビニルベンジルトリメチルアンモニウムクロリド）、ポリ（ビニルベンジルトリブチルアンモニウムクロリド）、及びポリ（ビニルベンジルジメチルベンジルアンモニウムクロリド）を含む増強剤は、米国特許第5,145,772号に詳細に記載されており、アッセイの感度を増加させるために使用されうる。
【００６７】
米国特許第5,145,772号に記載されているように、特定の水溶性の天然及び合成物質、一般的には天然の巨大分子、例えば疎水性領域を含む水溶性の球状タンパク質：ウシ血清アルブミン（ＢＳＡ）及びヒト血清アルブミン（ＨＳＡ）のような哺乳類の血清アルブミン、あるいは水溶性の高分子第四級アンモニウム、ホスホニウム若しくはスルホニウム塩：ポリ（ビニルベンジルトリメチル−アンモニウムクロリド）（ＴＭＱ）又はポリ［ビニルベンジル（ベンジルジメチル−アンモニウムクロリド）］（ＢＤＭＱ）が、安定化を可能とし、それゆえ水性及び混合媒体中での化学発光化合物の分解によって生じる発光蛍光団の光強度を増やすことができる。このような化学発光化合物は、酵素処理により切断可能な１，２−ジオキセタンであり；このような化学発光化合物の、互いとの及び１つ以上の補助の発蛍光団（例えば、フルオレセイン）との混合物は、化学発光化合物の分解によって生じるエネルギー放出発蛍光団からのエネルギーを受け、次いで検出可能なエネルギーを放出する。有効量のエンハンサー物質の存在が、このように安定化された発蛍光団により、水性媒体中で放出される光の強度を、このようなエンハンサーの不存在下で同量の発蛍光団により放出される光の強度に比べて、有意に増加させる。
【００６８】
従って、本発明の追加の実施態様は、エンハンサー分子を樹状ポリマーに結合させること、又は樹状ポリマーの残余の反応性表面基を、エンハンサー部位を包含するように修飾することを含む。樹状ポリマーが、（上述のように）化学発光基質プレカーサーと１０〜９０％の反応性部位で結合されていれば、残余の反応性部位を、増強剤と結合することができるか、又は増強性の表面基となるよう化学的に修飾することができる。あるいは、合成上の制約により必要ならば、化学発光基質プレカーサーを、エンハンサー巨大分子を結合した後又はいくつかの樹状反応性基を修飾後に、樹状ポリマーの反応性部位に結合させることができる。第一のアプローチによれば、例えば、哺乳類の血清アルブミン、ウシ血清アルブミン、ヒト血清アルブミン、プロテインＡ又は哺乳類のＩｇＧのような天然由来の巨大分子を含む、エンハンサー分子を、ペプチド化学及び生物学的結合形成（bioconjugation；例えば、ストレプトアビジン−ビオチン親和性により２つの薬剤の結合）に分野において公知の方法により、樹状ポリマー表面基に結合させることができる。第二のアプローチによれば、エンハンサー分子は、各々樹状ポリマー表面基に結合させることができる、反応性末端基又は反応性リンカーを有する合成巨大分子物質を含む。反応性リンカー又は反応性末端基で修飾されている利用可能な合成増強物質は、適切には、ポリ（ビニルアリール第四級アンモニウム）塩、ポリ−Ｎ−ビニルオキサゾリジノン、ポリビニルカルバマート、ポリヒドロキシアクリラート及びポリヒドロキシメタクリラート、第四級化アミン−含有オリゴマー（例えば、Jeffamine類）、合成ポリペプチド（ポリリシン及びナイロンを含む）、ポリビニルアルキルエーテル、ポリアクリルアミド及びポリメタクリルアミド、ポリビニルアルコール、ポリ２−、３−若しくは４−ビニルピリジニウム塩、ポリビニルアルキルピロリジノン、ポリビニルアルキルオキサゾリドン、第四級化ポリエチレンイミン、ポリ−Ｎ−ビニルアミン、アルキル化若しくはアリール化ポリビニルピペリジン、ポリアクリロイル、ポリメタクリロイル若しくは４−ビニルベンゾイルアミンイミド、並びに同様の樹状又は高分岐類似体を含む。第三のアプローチによれば、樹状ポリマーの反応性の表面及び／又は内部基を、化学的に修飾し、エンハンサー部分を与える。化学発光の増大を可能とする樹状ポリマーの修飾の例は、末端及び／又は内部アミンのペルアルキル化、末端及び／又は内部アミドのアルキル化、及び末端活性エステルとアミノ−結合アンモニウム、ホスホニウム若しくはスルホニウム塩との反応を含む。第四のアプローチによれば、樹状ポリマーの化学発光基質を、リンカーを介して樹状ポリマーのエンハンサーに結合し、架橋型デンドリマー構造を形成する。
【００６９】
加えて、水−可溶性基（数は、１個以上）、すなわち水溶液中のジオキセタンの溶解度を向上させる置換基は、カルボン酸若しくはエステル、アルキル−若しくはアリールオキシド、アルキル−、アリール−若しくはアラルキルアミド、アルキル−若しくはアリールウレタン、アルキル−若しくはアリールスルホンアミド、アルキル−若しくはアリールスルホン酸及び第四級アミノ塩を含み；最も好ましい可溶性置換基は、アルキル−若しくはアリールオキシド、アミド、及びスルホンアミドであり、これらを化学発光基質又はデンドリマーに付加し、一般的に性質において水性であるサンプル中の基質の溶解度を向上させることができる。選択された置換基が、水素であるか、又は電子活性であるかによって、その性質が、溶解度に加えて、分解反応の半減期（Ｔ１／２）、化学発光の収率、及びシグナル／ノイズの比（Ｓ／Ｎ）に影響を及ぼすかもしれない。ジオキセタン化学発光での適切な置換基及びその影響力は、フェノキシ置換ジオキセタンに関連して論じられ、米国特許第5,330,900号に開示かつクレームされており、その全内容は、本明細書に参照として組み込まれる。
【００７０】
上述の樹状ポリマー化学発光基質を、許容可能な環境による、任意のリポーター分子に基づくアッセイに使用することができる。このようなアッセイの例は、抗体又は抗原を検出する免疫アッセイ、ウィルス（例えば、ＨＴＬＶ III若しくはサイトメガロウィルス）、又は細菌（例えば、E. Coli）、及び特定の細胞機能（例えば、受容体結合部位）等を検出する、例えば酵素アッセイ及び核酸アッセイを含む。
【００７１】
抗体、抗原若しくは核酸のような物質を検出するために、ジオキセタンの酵素切断基を切断することができる酵素、あるいはルミノール、イソルミノール、アクリジニウムエステル、アクリジニウムスルホニルアミド又はルシフェリンを酸化することができる酵素は、好ましくは検出可能な物質に特異的親和性を有する物質（すなわち、検出可能な物質に特異的に結合する物質）、例えば、抗原、抗体、若しくは核酸プローブに結合させる。酵素の直接結合に加えて、リガンドを、検出可能な物質に特異的親和性を有する物質に結合することもできる。次いでリガンドは、ジオキセタンの酵素切断基を切断することができる酵素、あるいはルミノール、イソルミノール、アクリジニウムエステル、アクリジニウムスルホニルアミド又はルシフェリンを酸化することができる酵素で標識された高親和性リガンド結合剤を用いて検出される。カルボジイミドカップリングのような通常の方法は、酵素を特異的親和性物質に結合するのに用いられ；結合は、好ましくはアミド結合を介している。
【００７２】
一般に、アッセイは以下のように行われる。ある例では、検出可能な物質の混入が疑われるサンプルを、検出可能な物質に特異的親和性を有する物質に結合した酵素を含む緩衝溶液と接触させる。得られた溶液を、インキュベートし、検出可能な物質を特異的親和性−酵素複合体の特異的親和性部分に結合させる。過剰の特異的親和性−酵素複合体を洗い流し、特異的親和性−酵素複合体の酵素標識により切断可能な基を有するか、又は特異的親和性−酵素複合体の酵素標識により酸化可能な基を有する樹状化学発光基質を加える。第二の例では、検出可能な物質の混入が疑われるサンプルを、検出可能な物質に特異的親和性を有する物質に結合したリガンドを含む緩衝溶液と接触させる。得られた溶液を、インキュベートし、検出可能な物質を特異的親和性−リガンド複合体に結合させる。過剰の特異的親和性−リガンド複合体を洗い流し、酵素標識したリガンド結合剤を加え、インキュベートし、酵素標識したリガンド結合剤をリガンドに結合させる。次いで過剰の酵素標識したリガンド結合剤を洗い流し、酵素標識したリガンド結合剤の酵素部分により切断可能な基を有する樹状化学発光基質を加える。双方の例において、酵素活性化過酸化中間体が分解し、冷光を放つ。冷光を、キュベット、又はカメラ式照度計における光感応性フィルム、又はＣＣＤ、又は光電セル若しくは光電子増倍管を用いて検出し、サンプル中の検出可能な物質の存在及び濃度を測定する。
【００７３】
別のタイプのアッセイでは、生物学的サンプル中の検出可能な物質に特異的親和性を有する物質を、場所的に明確に定義されたパターンで固体支持体上に配置する。平面若しくは非平面、多孔性若しくは非多孔性、立体若しくはビーズ状の形で、ガラス、プラスチック、シリコン、ポリマーのような固体支持体が用いられる。生物学的サンプル中の検出可能な物質は、核酸又はタンパク質であってよい。検出可能な物質を含有する生物学的サンプルを、固相アレイに接触させ、検出可能な物質の結合に最適な条件下で、インキュベートする。ある場合には、検出可能な物質を、化学的又は酵素的な手段により検出可能なリガンドで前標識し、続いて酵素標識したリガンド結合剤で検出する。別の場合には、結合した非標識物質を、結合した検出可能な物質に親和性を有する第二の酵素−又はリガンド−標識した物質で生物学的サンプルから検出する。この標識した物質の結合は、アレイ上の検出可能な物質の捕捉前又は捕捉後であってもよい。検出が、リガンド標識した物質を含む場合、酵素標識したリガンド結合剤を用いた追加のインキュベーションを必要とする。適切な洗浄が、必要なインキュベーションの間に行われる。全ての場合における最終工程は、酵素標識した検出剤の酵素部分により切断可能な基を有するか、又は特異的な酵素標識した複合体の酵素部分により酸化可能な基を有する樹状化学発光基質の添加であろう。酵素活性化過酸化中間体が分解し、冷光を放つ。冷光を、電荷結合カメラ（ＣＣＤ）、フィルム、又は他の光感応画像装置を用いて検出し、特定領域で測定される光強度を決定する。
【００７４】
以下の例は、本発明をさらに説明するものであって、本発明の範囲に対する限定と解釈すべきものではない。
【実施例】
【００７５】
活性化エステルデンドリマーの合成
カルボキシラート末端化デンドリマー（例えば、星形ＰＡＭＡＭデンドリマー、ｐＨ７に調節）１００mg及びＮ−ヒドロキシスクシンイミド（１．０eq／カルボキシラート末端基）の無水１，２−ジメトキシメタン２０ml溶液を、０℃で攪拌した。カップリング剤、例えばジシクロヘキシルカルボジイミド（ＤＣＣ、１．０eq／カルボン酸末端基）又は１−（３−ジメチルアミノプロピル）−３−エチルカルボジイミド塩酸塩（ＥＤＣＩ、１．０eq／カルボン酸末端基）を０℃で加え、溶液を冷蔵庫に一晩貯蔵した。ウレア副生物をろ過により又は（ＥＤＣＩ副生物を）水洗により除去し、有機溶媒を蒸発させ、粗生成物をクロマトグラフィーにより精製した。
【００７６】
図４Ａ又は４Ｅに記載された一般構造を有する樹状ポリマーエノールエーテルコンジュゲートの合成
トリエチルアミン０．１mlを含む、活性化エステル末端化デンドリマー１００mgのＣＨ２Ｃｌ２ １５mlの攪拌溶液に、１級又は２級アミンで末端化されたリンカーを有するエノールエーテル（１．０１eqエノールエーテル／活性化エステル末端基；例えば、アクチベーター＝Ｎ−ヒドロキシスクシンイミドエステル）を加えた。反応を室温で一晩攪拌し、ＣＨ２Ｃｌ２で希釈し７５mlとし、水（３×３０ml）及び飽和Ｎａ２ＣＯ３（３×３０ml）で洗浄した。有機層をＮａ２ＳＯ４で乾燥させ、溶媒を除去し、図４Ａ又は４Ｅに記載された樹状エノールエーテルコンジュゲートを得た。
【００７７】
図４Ｂ又は４Ｆに記載された一般構造を有する樹状ポリマーエノールエーテルコンジュゲートの合成
トリエチルアミン０．１mlを含む、アミノ末端化デンドリマー（例えば、星形ＰＡＭＡＭデンドリマー又はポリプロピレンイミンテトラヘキサコンタアミン（polypropylenimine tetrahexacontaamine）デンドリマー）１００mgのＣＨ２Ｃｌ２ １５mlの攪拌溶液に、活性化エステルで末端化されたリンカーを有するエノールエーテル（１．０１eqエノールエーテル／ＮＨ２末端基；例えば、アクチベーター＝Ｎ−ヒドロキシスクシンイミドエステル）を加えた。反応を室温で一晩攪拌し、ＣＨ２Ｃｌ２で希釈し７５mlとし、水（３×３０ml）及び飽和Ｎａ２ＣＯ３（３×３０ml）で洗浄した。有機層をＮａ２ＳＯ４で乾燥させ、溶媒を除去し、図４Ｂ又は４Ｆに記載された樹状エノールエーテルコンジュゲートを得た。
【００７８】
図４Ｃ又は４Ｄに記載された一般構造を有する樹状ポリマーエノールエーテルコンジュゲートの合成
合成スキーム１：
トリエチルアミン０．１mlを含む、アミノ末端化デンドリマー（例えば、星形ＰＡＭＡＭデンドリマー又はポリプロピレンイミンテトラヘキサコンタアミンデンドリマー）１００mgのＣＨ２Ｃｌ２ １５mlの攪拌溶液に、ハロゲン化物（例えば、Ｉ若しくはＢｒ）又はスルホン酸エステル（例えば、メシラート、トシラート、ブロシラート（brosylate））で末端化されたリンカーを有するエノールエーテルを加えた。反応を室温で一晩攪拌し、ＣＨ２Ｃｌ２で希釈し７５mlとし、水（３×３０ml）及び飽和Ｎａ２ＣＯ３（３×３０ml）で洗浄した。有機層をＮａ２ＳＯ４で乾燥させ、溶媒を除去し、図４Ｃ又は４Ｄに記載された樹状エノールエーテルコンジュゲートを得た。
【００７９】
合成スキーム２：
トリエチルアミン０．１mlを含む、ブロモ−又はメシラート−、トシラート−若しくはブロシラート−末端化デンドリマー（例えば、脱離基で修飾された、星形ＰＡＭＡＭ−ＯＨ）１００mgのＣＨ２Ｃｌ２ １５mlの攪拌溶液に、アミン又はヒドロキシル基で末端化されたリンカーを有するエノールエーテルを加えた。反応を室温で一晩攪拌し、ＣＨ２Ｃｌ２で希釈し７５mlとし、水（３×３０ml）及び飽和Ｎａ２ＣＯ３（３×３０ml）で洗浄した。有機層をＮａ２ＳＯ４で乾燥させ、溶媒を除去し、図４Ｃ又は４Ｄに記載された樹状エノールエーテルコンジュゲートを得た。
【００８０】
ジオキセタン−ポリアンモニウム及びジオキセタン−ポリビニルピペリジニウムデンドリマーの合成
カルボキシラート末端化デンドリマー（例えば、星形ＰＡＭＡＭデンドリマー、ｐＨ７に調節）１００mg、アミノ末端化されたリンカーを有するエノールエーテル（０．５eq／カルボキシラート末端基）及びアミノ末端化されたポリマー（０．５eq／カルボキシラート末端基、例えば、ポリエチレンイミン、ポリ−Ｎ−ビニルアミン又はポリビニルピペリジン）の無水１，２−ジメトキシメタン２０ml溶液を、０℃で攪拌した。カップリング剤、例えばジシクロヘキシルカルボジイミド（ＤＣＣ、１．０eq／カルボン酸末端基）又は１−（３−ジメチルアミノプロピル）−３−エチルカルボジイミド塩酸塩（ＥＤＣＩ、１．０eq／カルボン酸末端基）を０℃で加え、溶液を冷蔵庫に一晩貯蔵した。ウレア副生物をろ過により又は（ＥＤＣＩウレア副生物を）水洗により除去し、有機溶媒を蒸発させ、粗エノールエーテル−エンハンサーデンドリマーをクロマトグラフィーにより精製した。アミン部位をハロゲン化アルキル（例えば、ペルメチル化するためのヨードメタン又はペルブチル化するための臭化ブチル）との反応により、アンモニウム基にペルアルキル化し、エノールエーテルを下記に記載のようにジオキセタンに酸化し、樹状ジオキセタン−ポリアンモニウム又は樹状のジオキセタン−ポリビニルピペリジニウム基質の合成を完了した。
【００８１】
ビオチン化星形デンドリマーの合成
トリス、ヘペス、リン酸、炭酸又はホウ酸緩衝液中の、アミノ末端化デンドリマー（例えば、星形ＰＡＭＡＭデンドリマー又は星形ＰＥＩデンドリマー、ｐＨ７に調節）の０．１mol溶液を、Ｎ−ヒドロキシスクシンイミドビオチン（０．１〜１０mol）と周囲温度で１２〜４８時間反応させた。ビオチン化デンドリマーを、透析、サイズ排除クロマトグラフィー（ＳＥＣ）又はイオン交換クロマトグラフィーにより精製した。
【００８２】
アビジン−又はストレプトアビジン−結合型星形デンドリマー
ＤＭＦ中の、アミノ末端化デンドリマー（例えば、星形ＰＡＭＡＭデンドリマー又は星形ＰＥＩデンドリマー、ｐＨ７に調節）の０．１mol溶液を、カップリング剤（例えば、ジシクロヘキシルカルボジイミド（ＤＣＣ）又は１−（３−ジメチルアミノプロピル）−３−エチルカルボジイミド塩酸塩（ＥＤＣＩ））の存在下にスクシニル−アビジン（Sigma）又はスクシニル−ストレプトアビジンと反応させた。反応を周囲温度で２〜２４時間攪拌した。アビジン−結合型デンドリマーを、限外ろ過又はセファデックス（Sephadex）カラムクロマトグラフィーにより精製した。
【００８３】
一方、カルボキシラート末端化ＰＡＭＡＭデンドリマー１００mgの脱イオン水１５mlの攪拌溶液に、アビジン又はストレプトアビジン及びカップリング剤１−（３−ジメチルアミノプロピル）−３−エチルカルボジイミド塩酸塩（ＥＤＣＩ）を加えた。ｐＨ５付近に溶液を保ちながら、反応を室温で８〜２４時間攪拌した。反応溶液を、限外ろ過するか、又はセファデックスカラムを通して溶出し、アビジン−又はストレプトアビジン−結合型デンドリマーを得た。
【００８４】
イソルミノール−ウシ血清アルブミンデンドリマーの合成
アビジン−結合型デンドリマー１００mgのｐＨ７の水溶液を、ビオチン化アミノブチルエチルイソルミノール（ＡＢＥＩ）及びビオチン化ウシ血清アルブミン（ＢＳＡ）（１：１のモル比で存在）の溶液に加え、周囲温度で１〜２４時間攪拌した。溶液を限外ろ過し、未反応のビオチン化剤を除去し、樹状イソルミノール−ＢＳＡ基質を得た。
【００８５】
樹状ポリマージオキセタンコンジュゲートの合成
テトラフェニルポルフィン（ＴＰＰ、ＣＨＣｌ３５ml中、１０mg）を含む、デンドリマー−エノールエーテルコンジュゲート（２５０mg）の１０％ＭｅＯＨ／ＣＨＣｌ３（５０ml）溶液を、５分間、パスツールピペットを介して酸素を散布しながら、氷浴中で冷却した。溶液を４００ワットのナトリウム蒸気ランプで照射している間中、酸素の流入を続け、３．０ml厚のデュポンカプトンフィルム（DuPont Kapton film）でろ過した。光酸化が完了した後、反応から溶媒を除去し、水に溶解させ、１インチのＰＬＲＰ−Ｓカラム（Polymer Laboratories）で、アセトニトリル／水のグラジエントを用いて分取クロマトグラフに付した。生成物ピークを、前後で削り取り、中央のカットのみを回収した。溶離液を凍結乾燥し、白色固体として樹状ジオキセタン生成物を得た。
【００８６】
樹状イソルミノールコンジュゲートの合成
トリエチルアミン０．１mlを含む、ブロモ−又はメシラート−、トシラート−若しくはブロシラート−末端化デンドリマー（例えば、脱離基で修飾された、ＰＡＭＡＭ−ＯＨ）１００mgのＣＨ２Ｃｌ２ １５mlの攪拌溶液に、Ｎ−（４−アミノブチル）−Ｎ−エチルイソルミノール（ＡＢＥＩ）を加えた。反応を室温で一晩攪拌し、ＣＨ２Ｃｌ２で希釈し７５mlとし、水（３×３０ml）及び飽和Ｎａ２ＣＯ３（３×３０ml）で洗浄した。有機層をＮａ２ＳＯ４で乾燥させ、溶媒を除去し、樹状イソルミノールコンジュゲートを得た。
【００８７】
樹状イソルミノールコンジュゲートの合成
トリエチルアミン０．１mlを含む、活性化エステル−末端化デンドリマー（例えば、ＰＡＭＡＭ−ＣＯＮＨＳ）１００mgのＣＨ２Ｃｌ２ １５mlの攪拌溶液に、Ｎ−（４−アミノブチル）−Ｎ−エチルイソルミノール（ＡＢＥＩ、１．０１eqイソルミノール／活性化エステル末端基）を加えた。反応を室温で一晩攪拌し、ＣＨ２Ｃｌ２で希釈し７５mlとし、水（３×３０ml）及び飽和Ｎａ２ＣＯ３（３×３０ml）で洗浄した。有機層をＮａ２ＳＯ４で乾燥させ、溶媒を除去し、樹状イソルミノールコンジュゲートを得た。
【００８８】
樹状アクリジニウムエステルコンジュゲートの合成
アミノ末端化デンドリマー（例えば、ＰＡＭＡＭ−ＮＨ２又はＰＥＩ星形デンドリマー）１００mg、及び活性化カルボキシラート末端化リンカーを有するアクリジニウムエステル１mol当量の無水１，２−ジメトキシメタン２０ml溶液を、０℃で攪拌した。カップリング剤、例えば、ジシクロヘキシルカルボジイミド（ＤＣＣ、１．０eq／カルボン酸末端基）又は１−（３−ジメチルアミノプロピル）−３−エチルカルボジイミド塩酸塩（ＥＤＣＩ、１．０eq／カルボン酸末端基）を０℃で加え、溶液を冷蔵庫に一晩貯蔵した。ウレア副生物をろ過により又は（ＥＤＣＩウレア副生物を）水洗により除去し、有機溶媒を蒸発させ、粗樹状アクリジニウムエステルをクロマトグラフィーにより精製した。
【００８９】
樹状アクリジニウムスルホニルアミドコンジュゲートの合成
アミノ末端化デンドリマー（例えば、ＰＡＭＡＭ−ＮＨ２又はＰＥＩ星形デンドリマー）１００mg、及び活性化カルボキシラート末端化リンカーを有するアクリジニウムスルホニルアミド１mol当量の無水１，２−ジメトキシメタン２０ml溶液を、０℃で攪拌した。カップリング剤、例えば、ジシクロヘキシルカルボジイミド（ＤＣＣ、１．０eq／カルボン酸末端基）又は１−（３−ジメチルアミノプロピル）−３−エチルカルボジイミド塩酸塩（ＥＤＣＩ、１．０eq／カルボン酸末端基）を０℃で加え、溶液を冷蔵庫に一晩貯蔵した。ウレア副生物をろ過により又は（ＥＤＣＩウレア副生物を）水洗により除去し、有機溶媒を蒸発させ、粗樹状アクリジニウムスルホニルアミドをクロマトグラフィーにより精製した。
【００９０】
脱リン酸化ジオキセタンの化学発光半減期の測定
樹状ポリマージオキセタンコンジュゲート（０．００４mM）の１mlのアリコートを、０．１Mジエタノールアミン、１mM ＭｇＣｌ２、ｐＨ１０中で、３０℃に平衡させた。アルカリホスファターゼを（１．０５×１０−９Mの最終濃度で）試験管に加え、化学発光シグナルキネティクスを、ターナー（Turner）ＴＤ−２０Ｅ照度計で、１０〜２０分間測定した。半減期は、ｌｏｇ ＲＬＵ対時間のプロットから計算された。化学発光半減期はまたSapphire-II（商標）エンハンサー（０．１Mジエタノールアミン、１mM ＭｇＣｌ２、１０％ポリビニルベンジルトリブチルアンモニウムクロリド qt １mg／ml）の存在下でも測定された。
【００９１】
脱リン酸化ジオキセタンの最大光強度の測定
樹状ポリマージオキセタンコンジュゲート（０．００４mM）の０．５mlのアリコートを、０．１Mジエタノールアミン、１mM ＭｇＣｌ２、ｐＨ１０中で、３０℃に平衡させた。アルカリホスファターゼを（１．０５×１０−９Mの最終濃度で）試験管に加え、化学発光シグナルを、ターナー（Turner）ＴＤ−２０Ｅ照度計で、１０〜２０分間測定した。最大光強度を記録した。最大光強度をまた、Sapphire-II（商標）エンハンサー（０．１Mジエタノールアミン、１mM ＭｇＣｌ２、１０％ポリビニルベンジルトリブチルアンモニウムクロリド qt １mg／ml）の存在下でも測定した。
【００９２】
本発明の樹状ポリマージオキセタンコンジュゲートを、以下のようにＴＳＨアッセイに用いてもよい。
【００９３】
原料
マウスモノクローナル抗ＴＳＨ抗体を、検体捕獲用１／８インチビーズをコートするのに用いた。マウスモノクローナル抗ＴＳＨ抗体を、アルカリホスファターゼと結合させ、検出抗体として用いた。ＴＳＨは、Calbiochem（カタログNo. 609396）から得られ、ＢＳＡ（タイプＶ−脂肪酸フリー）は、Sigma（カタログNo. A6003）から得られた。検体及びコンジュゲートに使用した緩衝溶液は、０．１Mトリス−ＨＣｌ、１mM ＭｇＣｌ２、及び２重量％のＢＳＡ（ｐＨ７．５）を含有した。基質緩衝溶液は、０．１Mトリス、０．１ｍM ＭｇＣｌ２、０.１重量％のＢＳＡ（ｐＨ９．５）、及び化学発光化合物として樹状ポリマージオキセタンコンジュゲート（５０μg／ml）を含有することができた。
【００９４】
プロトコール
ＴＳＨを含有する検体溶液１５μlを、コンジュゲート抗体溶液１３５μlと混合した。上述のようにコートされた２つの１／８インチビーズを、溶液に加え、２３℃で２時間インキュベートした。次いで、ビーズを０．１Mトリス（ｐＨ７．５）で４回洗浄し、反応チューブに移した。上述の基質緩衝溶液に用いられた同じ化学発光化合物２００μlをチューブに加えた。２０分間のインキュベート後、Berthold Clinilumat Luminescence Analyzerを用いて１０秒カウントとして発光を記録した。
【００９５】
加えて、本発明の樹状ポリマージオキセタンコンジュゲートを、ヒトＩｇＧ、ｈＣＧ、血清アルカリホスファターゼ、αフェトプロテイン、ＴＳＨ、又は評価される任意の物質に関するアッセイに、米国特許第4,978,614号に開示されたプロトコールに従って、用いてもよく、その全内容は、本明細書に参照として組み込まれる。
【００９６】
本発明の樹状ポリマージオキセタンコンジュゲートを、以下のような核酸ハイブリッド形成アッセイに用いてもよい。
【００９７】
サイトメガロウィルスの混入が疑われる脳脊髄液（ＣＳＦ）のサンプルを集め、ニトロセルロース膜上に配置した。次いでサンプルを、ウレア又はグアニジニウムイソチオシアナートで化学的に処理し細胞壁を破壊し、ウィルスＤＮＡを除いた全ての細胞成分を分解した。このように得られたウィルスＤＮＡのストランドを分離し、ニトロセルロースフィルターに接着させた。次いでウィルスＤＮＡに特異的でかつアルカリホスファターゼで標識されたＤＮＡプローブをフィルターに適用した。プローブは、相補的ウィルスＤＮＡストランドとハイブリッド形成した。ハイブリッド形成後、フィルターを０．２M ＮａＣｌ及び０．１mMトリス−ＨＣｌ（ｐＨ８．１０）を含有する水性緩衝溶液で洗浄し、過剰のプローブ分子を除去した。ホスファート含有樹状ポリマージオキセタンコンジュゲートを加え、ジオキセタンの酵素分解により得られた冷光を、照度計で測定するか、又は写真フィルムで検出した。
【００９８】
本発明の樹状ポリマージオキセタンコンジュゲートを、米国特許第4,978,614号に開示された任意のＤＮＡプローブアッセイに用いてもよく、その全内容は、本明細書に参照として組み込まれる。
【００９９】
本発明の上記の議論は、主として好ましい実施態様及びその手段に関する。本明細書に記載されたコンセプトの現実の実施における、さらなる変更及び修飾は、本発明の意図及び範囲から逸脱することなく容易になされうることは、当業者には容易に明らかであろう。
【図面の簡単な説明】
【０１００】
【図１Ａ】図１Ａ〜１Ｄは、いくつかの市販のデンドリマーの構造を示すが、ここで：図１Ａは、ＮＨ２の表面基を有するポリアミドアミン（ＰＡＭＡＭ）デンドリマーを示す。
【図１Ｂ】図１Ａ〜１Ｄは、いくつかの市販のデンドリマーの構造を示すが、ここで：図１Ｂは、カルボン酸の表面基を有するポリアミドアミン（ＰＡＭＡＭ）デンドリマーを示す。
【図１Ｃ】図１Ａ〜１Ｄは、いくつかの市販のデンドリマーの構造を示すが、ここで：図１Ｃは、ヒドロキシルの表面基を有するポリアミドアミン（ＰＡＭＡＭ）デンドリマーを示す。
【図１Ｄ】図１Ａ〜１Ｄは、いくつかの市販のデンドリマーの構造を示すが、ここで：図１Ｄは、ＮＨ２の表面基を有するポリプロピレンイミン（ＰＥＩ）デンドリマーを示す。
【図２Ａ】図２Ａは、本発明のプレカーサーを結合させたジオキセタンを示す。
【図２Ｂ】図２Ｂは、本発明のプレカーサーを結合させたジオキセタンを示す。
【図２Ｃ】図２Ｃは、本発明のプレカーサーを結合させたジオキセタンを示す。
【図２Ｄ】図２Ｄは、本発明のプレカーサーを結合させたジオキセタンを示す。
【図２Ｅ】図２Ｅは、本発明のプレカーサーを結合させたジオキセタンを示す。
【図２Ｆ】図２Ｆは、本発明のプレカーサーを結合させたジオキセタンを示す。
【図２Ｇ】図２Ｇは、本発明のプレカーサーを結合させたジオキセタンを示す。
【図２Ｈ】図２Ｈは、本発明のプレカーサーを結合させたジオキセタンを示す。
【図２Ｉ】図２Ｉは、本発明のプレカーサーを結合させたジオキセタンを示す。
【図２Ｊ】図２Ｊは、本発明のプレカーサーを結合させたジオキセタンを示す。
【図２Ｋ】図２Ｋは、本発明のプレカーサーを結合させたジオキセタンを示す。
【図２Ｌ】図２Ｌは、本発明のプレカーサーを結合させたジオキセタンを示す。
【図３Ａ】図３Ａは、本発明の樹状ポリマージオキセタンコンジュゲートを示す。
【図３Ｂ】図３Ｂは、本発明の樹状ポリマージオキセタンコンジュゲートを示す。
【図３Ｃ】図３Ｃは、本発明の樹状ポリマージオキセタンコンジュゲートを示す。
【図３Ｄ】図３Ｄは、本発明の樹状ポリマージオキセタンコンジュゲートを示す。
【図３Ｅ】図３Ｅは、本発明の樹状ポリマージオキセタンコンジュゲートを示す。
【図３Ｆ】図３Ｆは、本発明の樹状ポリマージオキセタンコンジュゲートを示す。
【図３Ｇ】図３Ｇは、本発明の樹状ポリマージオキセタンコンジュゲートを示す。
【図３Ｈ】図３Ｈは、本発明の樹状ポリマージオキセタンコンジュゲートを示す。
【図３Ｉ】図３Ｉは、本発明の樹状ポリマージオキセタンコンジュゲートを示す。
【図３Ｊ】図３Ｊは、本発明の樹状ポリマージオキセタンコンジュゲートを示す。
【図３Ｋ】図３Ｋは、本発明の樹状ポリマージオキセタンコンジュゲートを示す。
【図３Ｌ】図３Ｌは、本発明の樹状ポリマージオキセタンコンジュゲートを示す。
【図３Ｍ】図３Ｍは、本発明の樹状ポリマージオキセタンコンジュゲートを示す。
【図３Ｎ】図３Ｎは、本発明の樹状ポリマージオキセタンコンジュゲートを示す。
【図３Ｏ】図３Ｏは、本発明の樹状ポリマージオキセタンコンジュゲートを示す。
【図４Ａ】図４Ａ〜４Ｆは、図３Ａ〜３Ｌに示した樹状ポリマーコンジュゲートに関する合成スキームを示すが、ここで図４Ａは、図３Ａおよび図３Ｇに対応する。
【図４Ｂ】図４Ａ〜４Ｆは、図３Ａ〜３Ｌに示した樹状ポリマーコンジュゲートに関する合成スキームを示すが、ここで図４Ｂは、図３Ｂおよび図３Ｈに対応する。
【図４Ｃ】図４Ａ〜４Ｆは、図３Ａ〜３Ｌに示した樹状ポリマーコンジュゲートに関する合成スキームを示すが、ここで図４Ｃは、図３Ｃおよび図３Ｉに対応する。
【図４Ｄ】図４Ａ〜４Ｆは、図３Ａ〜３Ｌに示した樹状ポリマーコンジュゲートに関する合成スキームを示すが、ここで図４Ｄは、図３Ｄおよび図３Ｊに対応する。
【図４Ｅ】図４Ａ〜４Ｆは、図３Ａ〜３Ｌに示した樹状ポリマーコンジュゲートに関する合成スキームを示すが、ここで図４Ｅは、図３Ｅおよび図３Ｋに対応する。
【図４Ｆ】図４Ａ〜４Ｆは、図３Ａ〜３Ｌに示した樹状ポリマーコンジュゲートに関する合成スキームを示すが、ここで図４Ｆは、図３Ｆおよび図３Ｌに対応する。
【図５Ａ】図５Ａは、本発明の樹状ポリマーイソルミノールコンジュゲートを示す。
【図５Ｂ】図５Ｂは、本発明の樹状ポリマーイソルミノールコンジュゲートを示す。
【図５Ｃ】図５Ｃは、本発明の樹状ポリマーイソルミノールコンジュゲートを示す。
【図５Ｄ】図５Ｄは、本発明の複数のイソルミノール部分と結合したカルボン酸の表面基を有する、ポリアミドアミン（ＰＡＭＡＭ）星形デンドリマーを示す。
【図５Ｅ】図５Ｅは、本発明の複数のイソルミノール部分と結合したアミノ表面基を有する、ポリアミドアミン（ＰＡＭＡＭ）星形デンドリマーを示す。
【図５Ｆ】図５Ｆは、本発明の複数のイソルミノール部分と結合したアミノ表面基を有する、ポリプロピレンイミン（ＰＥＩ）星形デンドリマーを示す。
【図５Ｇ】図５Ｇは、本発明のデンドリマーとルシフェリンとのコンジュゲートを示す。
【図５Ｈ】図５Ｈは、本発明のデンドリマーとルシフェリンとのコンジュゲートを示す。
【図５Ｉ】図５Ｉは、本発明のデンドリマーとルシフェリンとのコンジュゲートを示す。
【図６Ａ】図６Ａは、本発明のデンドリマーとアクリジニウムエステルとのコンジュゲートを示す。
【図６Ｂ】図６Ｂは、本発明のデンドリマーとアクリジニウムエステルとのコンジュゲートを示す。
【図６Ｃ】図６Ｃは、本発明のデンドリマーとアクリジニウムエステルとのコンジュゲートを示す。
【図６Ｄ】図６Ｄは、本発明のデンドリマーとアクリジニウムスルホニルアミドとのコンジュゲートを示す。
【図６Ｅ】図６Ｅは、本発明のデンドリマーとアクリジニウムスルホニルアミドとのコンジュゲートを示す。
【図６Ｆ】図６Ｆは、本発明のデンドリマーとアクリジニウムスルホニルアミドとのコンジュゲートを示す。
【図６Ｇ】図６Ｇは、本発明のデンドリマーとアクリジニウムスルホニルアミドとのコンジュゲートを示す。
【図６Ｈ】図６Ｈは、本発明のデンドリマーとアクリジニウムスルホニルアミドとのコンジュゲートを示す。
【図６Ｉ】図６Ｉは、本発明のデンドリマーとアクリジニウムスルホニルアミドとのコンジュゲートを示す。
【図６Ｊ】図６Ｊは、本発明の複数のアクリジニウムエステル部分と結合したカルボン酸の表面基を有する、ポリアミドアミン（ＰＡＭＡＭ）星形デンドリマーを示す。
【図６Ｋ】図６Ｋは、本発明の複数のアクリジニウムスルホンアミド部分と結合したカルボン酸の表面基を有する、ポリアミドアミン（ＰＡＭＡＭ）星形デンドリマーを示す。
【図６Ｌ】図６Ｌは、本発明の複数のアクリジニウムエステル部分と結合したアミノ表面基を有する、ポリアミドアミン（ＰＡＭＡＭ）星形デンドリマーを示す。
【図６Ｍ】図６Ｍは、本発明の複数のアクリジニウムスルホンアミド部分と結合したアミノ表面基を有する、ポリアミドアミン（ＰＡＭＡＭ）星形デンドリマーを示す。
【図６Ｎ】図６Ｎは、本発明の複数のアクリジニウムエステル部分と結合したアミノ表面基を有する、ポリプロピレンイミン（ＰＥＩ）星形デンドリマーを示す。
【図６Ｏ】図６Ｏは、本発明の複数のアクリジニウムスルホンアミド部分と結合したアミノ表面基を有する、ポリプロピレンイミン（ＰＥＩ）星形デンドリマーを示す。
【図６Ｐ】図６Ｐは、本発明のデンドリマーとアクリダン部分のコンジュゲートを示す。
【図６Ｑ】図６Ｑは、本発明のデンドリマーとアクリダン部分のコンジュゲートを示す。
【図６Ｒ】図６Ｒは、本発明のデンドリマーとアクリダン部分のコンジュゲートを示す。
【図７Ａ】図７Ａは、本発明の樹状ポリマーイソルミノールコンジュゲートの合成を示す。
【図７Ｂ】図７Ｂは、本発明の樹状ポリマーイソルミノールコンジュゲートの合成を示す。
【図７Ｃ】図７Ｃは、本発明の樹状ポリマーイソルミノールコンジュゲートの合成を示す。
【図８Ａ】図８Ａは、本発明の樹状ポリマーアクリジニウムエステルコンジュゲートの合成を示す。
【図８Ｂ】図８Ｂは、本発明の樹状ポリマーアクリジニウムエステルコンジュゲートの合成を示す。
【図８Ｃ】図８Ｃは、本発明の樹状ポリマーアクリジニウムエステルコンジュゲートの合成を示す。
【図８Ｄ】図８Ｄは、本発明の樹状ポリマーアクリジニウムスルホニルアミドコンジュゲートの合成を示す。
【図８Ｅ】図８Ｅは、本発明の樹状ポリマーアクリジニウムスルホニルアミドコンジュゲートの合成を示す。
【図８Ｆ】図８Ｆは、本発明の樹状ポリマーアクリジニウムスルホニルアミドコンジュゲートの合成を示す。
【図９Ａ】図９Ａは、本発明のジオキセタン及びイソルミノール部分と結合した、ポリアミドアミン（ＰＡＭＡＭ）星形デンドリマーを示す。
【図９Ｂ】図９Ｂは、本発明のジオキセタン及びアクリジウムエステル部分と結合した、ポリアミドアミン（ＰＡＭＡＭ）星形デンドリマーを示す。
【図９Ｃ】図９Ｃは、本発明のジオキセタン及びアクリジニウムスルホンアミド部分と結合した、ポリアミドアミン（ＰＡＭＡＭ）星形デンドリマーを示す。
【図１０】図１０は、本発明の結合したジオキセタン及び第四級アミンエンハンサーを示す。
【図１１】図１１は、本発明の樹状ジオキセタンエンハンサーハイブリッドを示す。
【図１Ａ】
2004524521.tif 000021
【図１Ｂ】
2004524521.tif 000022
【図１Ｃ】
2004524521.tif 000023
【図１Ｄ】
2004524521.tif 000024
【図２Ｂ】
2004524521.tif 000025
【図２Ｅ】
2004524521.tif 000026
【図２Ｈ】
2004524521.tif 000027
【図２Ｊ】
2004524521.tif 000028
【図２Ｋ】
2004524521.tif 000029
【図２Ｌ】
2004524521.tif 000030
【図３Ａ】
2004524521.tif 000031
【図３Ｂ】
2004524521.tif 000032
【図３Ｃ】
2004524521.tif 000033
【図３Ｄ】
2004524521.tif 000034
【図３Ｅ】
2004524521.tif 000035
【図３Ｆ】
2004524521.tif 000036
【図３Ｇ】
2004524521.tif 000037
【図３Ｈ】
2004524521.tif 000038
【図３Ｉ】
2004524521.tif 000039
【図３Ｊ】
2004524521.tif 000040
【図３Ｋ】
2004524521.tif 000041
【図３Ｌ】
2004524521.tif 000042
【図３Ｍ】
2004524521.tif 000043
【図３Ｎ】
2004524521.tif 000044
【図３Ｏ】
2004524521.tif 000045
【図４Ａ】
2004524521.tif 000046
【図４Ｂ】
2004524521.tif 000047
【図４Ｃ】
2004524521.tif 000048
【図４Ｄ】
2004524521.tif 000049
【図４Ｅ】
2004524521.tif 000050
【図４Ｆ】
2004524521.tif 000051
【図５Ａ】
2004524521.tif 000052
【図５Ｂ】
2004524521.tif 000053
【図５Ｃ】
2004524521.tif 000054
【図５Ｄ】
2004524521.tif 000055
【図５Ｅ】
2004524521.tif 000056
【図５Ｆ】
2004524521.tif 000057
【図５Ｇ】
2004524521.tif 000058
【図５Ｈ】
2004524521.tif 000059
【図５Ｉ】
2004524521.tif 000060
【図６Ａ】
2004524521.tif 000061
【図６Ｂ】
2004524521.tif 000062
【図６Ｃ】
2004524521.tif 000063
【図６Ｄ】
2004524521.tif 000064
【図６Ｅ】
2004524521.tif 000065
【図６Ｆ】
2004524521.tif 000066
【図６Ｇ】
2004524521.tif 000067
【図６Ｈ】
2004524521.tif 000068
【図６Ｉ】
2004524521.tif 000069
【図６Ｊ】
2004524521.tif 000070
【図６Ｋ】
2004524521.tif 000071
【図６Ｌ】
2004524521.tif 000072
【図６Ｍ】
2004524521.tif 000073
【図６Ｎ】
2004524521.tif 000074
【図６Ｏ】
2004524521.tif 000075
【図６Ｐ】
2004524521.tif 000076
【図６Ｑ】
2004524521.tif 000077
【図６Ｒ】
2004524521.tif 000078
【図７Ａ】
2004524521.tif 000079
【図７Ｂ】
2004524521.tif 000080
【図７Ｃ】
2004524521.tif 000081
【図８Ａ】
2004524521.tif 000082
【図８Ｂ】
2004524521.tif 000083
【図８Ｃ】
2004524521.tif 000084
【図８Ｄ】
2004524521.tif 000085
【図８Ｅ】
2004524521.tif 000086
【図８Ｆ】
2004524521.tif 000087
【図９Ａ】
2004524521.tif 000088
【図９Ｂ】
2004524521.tif 000089
【図９Ｃ】
2004524521.tif 000090
【図１０】
2004524521.tif 000091
【図１１】
2004524521.tif 000092
【国際公開パンフレット】
2004524521.tif 000093
2004524521.tif 000094
2004524521.tif 000095
2004524521.tif 000096
2004524521.tif 000097
2004524521.tif 000098
2004524521.tif 000099
2004524521.tif 000100
2004524521.tif 000101
2004524521.tif 000102
2004524521.tif 000103
2004524521.tif 000104
2004524521.tif 000105
2004524521.tif 000106
2004524521.tif 000107
2004524521.tif 000108
2004524521.tif 000109
2004524521.tif 000110
2004524521.tif 000111
2004524521.tif 000112
2004524521.tif 000113
2004524521.tif 000114
2004524521.tif 000115
2004524521.tif 000116
2004524521.tif 000117
2004524521.tif 000118
2004524521.tif 000119
2004524521.tif 000120
2004524521.tif 000121
2004524521.tif 000122
2004524521.tif 000123
2004524521.tif 000124
2004524521.tif 000125
2004524521.tif 000126
2004524521.tif 000127
2004524521.tif 000128
2004524521.tif 000129
2004524521.tif 000130
2004524521.tif 000131
2004524521.tif 000132
2004524521.tif 000133
2004524521.tif 000134
2004524521.tif 000135
2004524521.tif 000136
2004524521.tif 000137
2004524521.tif 000138
2004524521.tif 000139
2004524521.tif 000140
2004524521.tif 000141
2004524521.tif 000142
2004524521.tif 000143
2004524521.tif 000144
2004524521.tif 000145
2004524521.tif 000146
2004524521.tif 000147
2004524521.tif 000148
2004524521.tif 000149
2004524521.tif 000150
2004524521.tif 000151
2004524521.tif 000152
2004524521.tif 000153
2004524521.tif 000154
2004524521.tif 000155
2004524521.tif 000156
2004524521.tif 000157
2004524521.tif 000158
2004524521.tif 000159
2004524521.tif 000160
2004524521.tif 000161
2004524521.tif 000162
2004524521.tif 000163
2004524521.tif 000164
2004524521.tif 000165
2004524521.tif 000166
2004524521.tif 000167
2004524521.tif 000168
2004524521.tif 000169
2004524521.tif 000170
2004524521.tif 000171
2004524521.tif 000172
2004524521.tif 000173
2004524521.tif 000174
2004524521.tif 000175
2004524521.tif 000176
2004524521.tif 000177
2004524521.tif 000178
2004524521.tif 000179
2004524521.tif 000180
2004524521.tif 000181
2004524521.tif 000182
2004524521.tif 000183
2004524521.tif 000184
2004524521.tif 000185
2004524521.tif 000186
2004524521.tif 000187
2004524521.tif 000188
2004524521.tif 000189
2004524521.tif 000190
2004524521.tif 000191
2004524521.tif 000192
2004524521.tif 000193
2004524521.tif 000194
2004524521.tif 000195
2004524521.tif 000196
2004524521.tif 000197
2004524521.tif 000198
2004524521.tif 000199
2004524521.tif 000200
2004524521.tif 000201
2004524521.tif 000202
2004524521.tif 000203
2004524521.tif 000204
2004524521.tif 000205
2004524521.tif 000206
2004524521.tif 000207
2004524521.tif 000208
【国際公開パンフレット（コレクトバージョン）】
2004524521.tif 000209
2004524521.tif 000210
【国際調査報告】
2004524521.tif 000211